(57)【特許請求の範囲】
【請求項１】
泡吐出容器入り液体洗浄剤組成物であって、
前記泡吐出容器が、
前記液体洗浄剤組成物を収容する容器本体と、吐出口を有し前記容器本体から送出される前記液体洗浄剤組成物を前記吐出口より泡状に吐出するヘッド部と、ユーザの操作を受け付けるごとに所定量の泡状の前記液体洗浄剤組成物を前記吐出口より吐出させる吐出操作部と、を備え、
前記吐出口が、泡造形物の目的形状を細幅化した連続形状に開口形成されているか、または複数設けられており、１回または複数回の前記吐出操作部の操作により前記吐出口から吐出された泡状の前記液体洗浄剤組成物が吐出方向に対し交差方向に広がることで、当該吐出方向の平面視で前記目的形状に形成される泡吐出容器であり、
前記液体洗浄剤組成物は、
（Ａ）ポリオールを０．３質量％以上３５質量％以下、ならびに
（Ｂ）（Ｂ−１）ラウリン酸またはその塩、を含有し、
前記（Ｂ）として前記ラウリン酸または前記その塩を含むとともに、炭素数１２を超える脂肪酸またはその塩を含み、
前記ラウリン酸または前記その塩が、酸換算量で２質量％以上１２質量％以下であり、前記炭素数１２を超える前記脂肪酸または前記その塩が、酸換算量で０．０１質量％以上２質量％以下であり、
前記炭素数１２を超える前記脂肪酸または前記その塩を、前記ラウリン酸または前記その塩の酸換算量１００質量部に対して、酸換算量で０．１質量部以上３０質量部以下の範囲で含有する、泡吐出容器入り液体洗浄剤組成物。
【請求項２】
前記泡吐出容器は、前記吐出操作部の操作により前記容器本体から送出され空気と共に通過する前記液体洗浄剤組成物を泡状に変える気液接触部を有する請求項１に記載の泡吐出容器入り液体洗浄剤組成物。
【請求項３】
前記ヘッド部は、前記容器本体から送出される前記液体洗浄剤組成物を一時的に貯留するとともに前記液体洗浄剤組成物を前記吐出口へと流通させる貯留部を有し、
前記貯留部の流路は、流路断面積が拡張する拡張部と、前記拡張部より先端側に設けられ前記拡張部よりも流路断面積が小さい縮小部と、を有し、
前記縮小部の先端側に前記吐出口の少なくとも一部が設けられている請求項１または２に記載の泡吐出容器入り液体洗浄剤組成物。
【請求項４】
前記吐出操作部の操作により前記容器本体から前記ヘッド部まで吸い上げられた前記液体洗浄剤組成物が、前記吐出口から鉛直下向きに吐出される請求項１から３のいずれか一項に記載の泡吐出容器入り液体洗浄剤組成物。
【請求項５】
前記ヘッド部は、前記容器本体から送出される前記液体洗浄剤組成物を貯留する貯留部と、前記貯留部の下方に向かって延在して設けられて下端に前記吐出口を備える吐出ガイドと、を更に備え、
前記吐出ガイドは、前記吐出口と同形状である横断面を有する直管状の通孔を有する請求項１から４のいずれか一項に記載の泡吐出容器入り液体洗浄剤組成物。
【請求項６】
前記ヘッド部が、前記容器本体から前記液体洗浄剤組成物を送出するノズル開口を有するノズル部と、前記吐出口を有し前記ノズル部に対して着脱可能に装着されて前記吐出口と前記ノズル開口とが連通する泡吐出用アタッチメントと、を有し、
前記泡吐出用アタッチメントが、前記ノズル開口を挿入させる嵌合部と、前記ノズル部に対して着脱可能に掛止する掛止部と、を有する請求項１から５のいずれか一項に記載の泡吐出容器入り液体洗浄剤組成物。
【請求項７】
前記（Ｂ）が、さらに、
（Ｂ−２）ポリグリセリン脂肪酸エステルを０．１質量％以上３質量％以下、および
（Ｂ−３）カチオン化セルロースを０．０１質量％以上０．２質量％以下、
から選択される１種または２種以上、を含有する請求項１から６のいずれか一項に記載の泡吐出容器入り液体洗浄剤組成物。
【請求項８】
前記炭素数１２を超える前記脂肪酸または前記その塩が、ミリスチン酸もしくはパルミチン酸、またはその塩から選択される１種又は２種以上である、請求項１から７のいずれか一項記載の泡吐出容器入り液体洗浄剤組成物。
【請求項９】
泡吐出容器および前記泡吐出容器に収容された泡造形用の液体洗浄剤組成物を備え、
泡吐出容器が、前記液体洗浄剤組成物を収容した容器本体と、吐出口を有し前記容器本体から送出される前記液体洗浄剤組成物を前記吐出口より泡状に吐出するヘッド部と、ユーザの操作を受け付けるごとに所定量の泡状の前記液体洗浄剤組成物を前記吐出口より吐出させる吐出操作部と、を備え、
前記吐出口が、泡造形物の目的形状を細幅化した連続形状に開口形成されているか、または複数設けられており、１回または複数回の前記吐出操作部の操作により前記吐出口から吐出された泡状の前記液体洗浄剤組成物が吐出方向に対し交差方向に広がることで、当該吐出方向の平面視で前記目的形状を成し、
前記液体洗浄剤組成物が、
（Ａ）ポリオールを０．３質量％以上３５質量％以下、ならびに
（Ｂ）ラウリン酸またはその塩、を含有し、
前記（Ｂ）として前記ラウリン酸または前記その塩を含むとともに、炭素数１２を超える脂肪酸またはその塩を含み、
前記ラウリン酸または前記その塩が、酸換算量で２質量％以上１２質量％以下であり、前記炭素数１２を超える前記脂肪酸または前記その塩が、酸換算量で０．０１質量％以上２質量％以下であり、
前記炭素数１２を超える前記脂肪酸または前記その塩を、前記ラウリン酸または前記その塩の酸換算量１００質量部に対して、酸換算量で０．１質量部以上３０質量部以下の範囲で含有する、液体洗浄剤物品。
【請求項１０】
前記炭素数１２を超える前記脂肪酸または前記その塩が、ミリスチン酸もしくはパルミチン酸、またはその塩から選択される１種又は２種以上である、請求項９に記載の液体洗浄剤物品。
【発明の詳細な説明】
【技術分野】
【０００１】
本発明は、泡吐出容器入り液体洗浄剤組成物および液体洗浄剤物品に関し、詳しくは、泡吐出容器から泡状に吐出される液体洗浄剤組成物、ならびに泡吐出容器および当該泡吐出容器に収容された液体洗浄剤組成物を備える液体洗浄剤物品に関する。
【背景技術】
【０００２】
ハンドソープや洗顔料、食器用洗剤、整髪料などの各種の液体洗浄剤組成物（液剤）を泡状にして容器本体から吐出する容器（泡吐出容器）が提案されている。
【０００３】
たとえば、特許文献１には、液剤および加圧ガスが充填された容器本体からこの液剤を泡状またはゲル状に吐出するエアゾール容器（以下、従来技術１ともいう）が記載されている。ノズルヘッドを押し下げ操作することで吐出口が開放され、加圧充填された液剤が泡状やゲル状となって高速で吐出されてスパゲッティ状や帯状の連続形状が形成される。ノズルヘッドには液剤を吐出する複数の流路が貫通形成されており、これらの流路の先端が吐出口にあたる。特許文献１では種々の形態の吐出口が提案されている。具体的には、スリット状や矩形状、円形状、星形などの複数の吐出口がノズルヘッドの表面に離散配置されている。これにより、複数本の連続形状の泡やゲルが吐出される。従来技術１は、押し下げ操作時間の長短によって、吐出される連続形状の泡状またはゲル状の液剤の量を調整することができる。換言すると、上記従来技術１は、一度の押し下げ操作によって所定量だけ液剤を吐出するものではない。
【０００４】
上記従来技術１（エアゾール容器）とは異なる仕組みを有する泡吐出容器として、たとえば特許文献２には、ノズルヘッドを押し下げ操作することにより容器本体に収容された液剤を泡状に吐出させる泡ポンプ付き容器（以下、従来技術２）が記載されている。従来技術２は、操作時間によらず１回の押し下げ操作により吐出される泡状の液剤の量が概ね定量化されている。
【０００５】
ところで、従来技術２は、三角形や五角形の頂点やその中心に対応する位置に複数の円形の吐出口が離散配置された泡吐出用アダプタを備えている。上述のとおり従来技術２は、１回の押し下げ操作により吐出される泡状の液剤の量が定量化されている。そのため、所定の間隔を空けて形成された複数の吐出口から吐出された泡それぞれが、吐出面において吐出方向に対し交差方向に広がることで互いにくっつき合い、目的形状の泡造形物を成し得る。
【０００６】
特許文献３には、一般的なフォーマー容器用の皮膚洗浄料の発明（以下、従来技術３ともいう）が提案されている。従来技術３は、ベタイン系両性界面活性剤と、Ｎ−アシルメチルタウリン塩と、ポリオキシエチレンアルキルスルホコハク酸塩及びアルキルスルホコハク酸塩の少なくともいずれかと、を所定質量比で含む。
【先行技術文献】
【特許文献】
【０００７】
【特許文献１】米国特許第５８１３７８５号明細書
【特許文献２】特開２０１０−１４９０６０号公報
【特許文献３】国際公開第２００９／０２８３３９号パンフレット
【発明の概要】
【発明が解決しようとする課題】
【０００８】
泡吐出用アダプタを備えた従来技術２（泡ポンプ付き容器）のように、容器から吐出される泡が目的形状の泡造形物に形成されることにより、洗浄等の用途に加えて見た目の楽しさを向上することができるという利点がある。
【０００９】
しかしながら、特許文献２において、泡吐出用アダプタを備えた従来技術２を用い、所定のキャラクタを模した泡造形物を形成することが提案されているものの、目的形状の泡造形物を鮮鋭に実現することは未だ困難であった。たとえば、特許文献２の実施例１を用いて吐出された泡造形物を示す写真（同文献図１４）には、小熊の顔のキャラクタを模した泡造形物が示されているが、紙面右側の耳に相当する箇所に不鮮鋭な外縁が見られる。また同文献実施例２を用いて吐出された泡造形物を示す写真（同文献図１５）には、５枚の花弁を有する花のキャラクタを模した泡造形物が示されているが、一枚ずつの花びらの外縁が不鮮鋭である。尚、特許文献２の実施例では、市販品である一般的な泡ハンドソープ剤が用いられている。
【００１０】
上述のとおり泡造形物を鮮鋭に形成し難い理由の１つは、以下のとおりと推察された。即ち、複数の吐出口から吐出された柔軟な泡それぞれが吐出方向に対し交差方向に広がることで互いにくっつき合い、これにより泡吐出容器から吐出されてなる泡造形物が形成される。ところが吐出された泡が柔軟であるために、泡造形物の外縁が曖昧となり易く、鮮鋭な目的形状を実現し難いものと推察された。
【００１１】
尚、従来、一般的な泡吐出容器に用いられる液状洗浄剤組成物は、種々提案されているものの、吐出した泡により目的形状の泡造形物を形成するのに適した液状洗浄剤組成物の提案はこれまでに例がない。たとえば、一例として上述する特許文献３は、上述する特定の組成を備えることにより、泡質がキメ細かく、フォーマー容器（泡吐出容器）に充填した場合に、低温時の泡の吐出性が良好等の効果を有することが示されているものの、目的形状の泡造形物の形成に関し何らの記載も示唆もされていない。
【００１２】
本発明は、目的形状の泡造形物を形成可能な泡吐出容器に用いられ、当該泡吐出容器から吐出された泡よりなる泡造形物を鮮鋭な目的形状とすることを可能とする泡吐出容器入り液体洗浄剤組成物、および、泡吐出容器および上記泡吐出容器に収容された液体洗浄剤組成物を備える液体洗浄剤物品に関する。
【課題を解決するための手段】
【００１３】
本発明は、泡吐出容器入り液体洗浄剤組成物であって、上記泡吐出容器が、上記液体洗浄剤組成物を収容する容器本体と、吐出口を有し上記容器本体から送出される上記液体洗浄剤組成物を上記吐出口より泡状に吐出するヘッド部と、ユーザの操作を受け付けるごとに所定量の泡状の上記液体洗浄剤組成物を上記吐出口より吐出させる吐出操作部と、を備え、上記吐出口が、目的形状を細幅化した連続形状に開口形成されているか、または複数設けられており、１回または複数回の上記吐出操作部の操作により上記吐出口から吐出された泡状の上記液体洗浄剤組成物が吐出方向に対し交差方向に広がることで、当該吐出方向の平面視で上記目的形状に形成される泡吐出容器であり、上記液体洗浄剤組成物は、
（Ａ）ポリオールを０．３質量％以上３５質量％以下、ならびに
（Ｂ）（Ｂ−１）ラウリン酸またはその塩、（Ｂ−２）ポリグリセリン脂肪酸エステル、および（Ｂ−３）カチオン化セルロースから選択される１種または２種以上、を含有する泡吐出容器入り液体洗浄剤組成物を提供するものである。
【００１４】
また、本発明は、泡吐出容器および上記泡吐出容器に収容された液体洗浄剤組成物を備え、  泡吐出容器が、上記液体洗浄剤組成物を収容した容器本体と、吐出口を有し上記容器本体から送出される上記液体洗浄剤組成物を上記吐出口より泡状に吐出するヘッド部と、ユーザの操作を受け付けるごとに所定量の泡状の上記液体洗浄剤組成物を上記吐出口より吐出させる吐出操作部と、を備え、上記吐出口が、目的形状を細幅化した連続形状に開口形成されているか、または複数設けられており、１回または複数回の上記吐出操作部の操作により上記吐出口から吐出された泡状の上記液体洗浄剤組成物が吐出方向に対し交差方向に広がることで、当該吐出方向の平面視で上記目的形状を成し、上記液体洗浄剤組成物が、（Ａ）ポリオールを０．３質量％以上３５質量％以下、ならびに（Ｂ）ラウリン酸またはその塩、ポリグリセリン脂肪酸エステル、およびカチオン化セルロースから選択される１種または２種以上、を含有する液体洗浄剤物品を提供するものである。
【発明の効果】
【００１５】
本発明の泡吐出容器入り液体洗浄剤組成物は、特定の泡吐出容器において目的形状の泡造形物を成すに適した成分が含有されている。そのため、吐出した泡で目的形状の泡造形物を形成可能な泡吐出容器に本発明の液体洗浄剤組成物を用いることで、当該泡造形物を鮮鋭な目的形状とすることができる。
また本発明の液体洗浄剤物品は、特定の泡吐出容器および泡吐出容器に収容された特定の組成を含む液体洗浄剤組成物を備えることから、ユーザの操作により、鮮鋭な目的形状の泡造形物を提供することが可能であり、洗浄等の用途に加えて見た目の楽しさを充分に提供することができる。
【図面の簡単な説明】
【００１６】
【図１】第一実施形態の泡吐出容器の上方斜視図である。
【図２】泡吐出容器の下方斜視図である。
【図３】図３（ａ）は吐出された泡造形物の平面図であり、図３（ｂ）は泡造形物の正面図である。
【図４】ヘッド部を含む泡吐出機構の側面図である。
【図５】ヘッド部の平面図である。
【図６】図５のVI−VI線断面図である。
【図７】第一実施形態の泡吐出用アタッチメントの斜視図である。
【図８】図８（ａ）は泡吐出用アタッチメントの上半体の上方斜視図であり、図８（ｂ）は下半体の上方斜視図である。
【図９】泡吐出用アタッチメントの上半体の下方斜視図である。
【図１０】泡吐出用アタッチメントの下半体の平面図である。
【図１１】図１１（ａ）は第一変形例の泡吐出用アタッチメントの底面模式図であり、図１１（ｂ）は第一変形例の泡吐出用アタッチメントより吐出された泡造形物の平面図である。
【図１２】図１２（ａ）は、第二実施態様の泡吐出容器に用いられる泡吐出用アタッチメントの底面模式図であり、図１２（ｂ）は第二実施態様の泡吐出容器に用いられる泡吐出用アタッチメントより吐出された泡造形物の平面図である。
【図１３】実施例１により形成された泡造形物ＦＢを平面視方向から撮影した写真である。
【図１４】実施例２により形成された泡造形物ＦＢを平面視方向から撮影した写真である。
【図１５】比較例１により形成された泡造形物ＦＢを平面視方向から撮影した写真である。
【図１６】比較例２により形成された泡造形物ＦＢを平面視方向から撮影した写真である。
【発明を実施するための形態】
【００１７】
以下、本発明の実施形態について図面を用いて説明する。なお、各図面において同様の構成要素には同様の符号を付し、適宜説明を省略する。
【００１８】
以下に、本実施形態の泡吐出容器１００入り液体洗浄剤組成物２００について図１から図３を用いて説明する。
図１は、第一実施形態の泡吐出容器１００の上方斜視図である。図２は、泡吐出容器１００の下方斜視図である。図３（ａ）は吐出された泡造形物ＦＢの平面図であり、図３（ｂ）は泡造形物ＦＢの正面図である。尚、本明細書において、ヘッド部３０において泡状となった液体洗浄剤組成物２００を泡体Ｂと称呼し、また泡体Ｂにより成形された造形物を泡造形物ＦＢと称呼する場合がある。
【００１９】
泡吐出容器入り液体洗浄剤組成物２００は、泡吐出容器１００に収容されている。本実施形態の泡吐出容器入り液体洗浄剤組成物２００は、泡吐出容器１００に収容された液体洗浄剤組成物２００を意味する。本明細書において、泡吐出容器入り液体洗浄剤組成物２００を単に、液体洗浄剤組成物２００という場合がある。
泡吐出容器１００は、容器本体４０と、ヘッド部３０と、吐出操作部（ポンプヘッド部３２）と、を備える。容器本体４０は、液体洗浄剤組成物２００を収容する。ヘッド部３０は、吐出口２０を有し容器本体４０から送出される液体洗浄剤組成物２００を吐出口２０より泡状に吐出する。吐出操作部（ポンプヘッド部３２）は、ユーザの操作を受け付けるごとに所定量の泡状の液体洗浄剤組成物２００（泡体Ｂ）を吐出口２０より吐出させる。これにより、図３（ａ）に示す所望の目的形状を有する泡造形物ＦＢが成形される。
吐出口２０は、目的形状を細幅化した連続形状に開口形成されているか、または複数設けられている。本実施形態では、具体的には目的形状を細幅化した連続形状に開口形成された吐出口２０について説明する。１回または複数回の吐出操作部（ポンプヘッド部３２）の操作により吐出口２０から吐出された泡状の液体洗浄剤組成物２００（泡体Ｂ）は、吐出方向に対し交差方向に広がり、これにより、当該吐出方向の平面視で目的形状に形成される。
【００２０】
本実施形態の液体洗浄剤組成物２００は、以下に示す（Ａ）および（Ｂ）を含有する。
（Ａ）は、ポリオールを０．３質量％以上３５質量％以下である。
（Ｂ）は、（Ｂ−１）ラウリン酸またはその塩、（Ｂ−２）ポリグリセリン脂肪酸エステル、および（Ｂ−３）カチオン化セルロースから選択される１種または２種以上である。
かかる配合の液体洗浄剤組成物２００は、泡吐出容器１００に収容され、泡吐出容器１００がユーザの操作を受け付けることによって、所望の目的形状の泡造形物ＦＢを鮮鋭に形成することを可能とする。
【００２１】
またさらに本実施形態の液体洗浄剤組成物２００は、上記（Ｂ）とは異なるアニオン性界面活性剤および両性界面活性剤から選択される１種または２種以上であって、２．５質量％以上１０質量％以下を含んでもよく、３質量％以上１０質量％以下であることがより好ましい。これによって、液体洗浄剤組成物２００を、よりクリーミーな泡体Ｂとして吐出することが可能であり、泡体Ｂにより構成される泡造形物ＦＢの表面形状を良好にすることができる。
【００２２】
＜液体洗浄剤組成物＞
以下に、液体洗浄剤組成物２００について更に詳細に説明する。本実施形態では、液状の液体洗浄剤組成物２００の例を用いて説明し、適宜、当該液状の液体洗浄剤組成物２００を液剤Ｌと呼ぶ場合がある。また本明細書では、泡状の液剤Ｌを泡体Ｂと呼称して、容器本体４０に収容されている非泡状の液剤Ｌとは区別する場合がある。
【００２３】
１００質量％の液体洗浄剤組成物２００において（Ａ）ポリオールは、０．３質量％以上３５質量％以下の範囲で配合される。ポリオールを配合することにより、泡吐出容器１００から泡状に吐出された液体洗浄剤組成物２００で皮膚をマッサージした時の感触が良好となり、また皮膚に付された液体洗浄剤組成物２００を洗い流した後の皮膚のしっとり感を良好なものとすることができる。
【００２４】
上記ポリオールとしては、特に限定はされないが、室温（２０℃）において液体であるものが好ましく、２価以上４価以下のアルコール類が好ましい。２価アルコールとしては、プロピレングリコール、１，３−プロパンジオール、１，３−ブチレングリコール、イソプレングリコール、ヘキシレングリコール、ジエチレングリコール、ジプロピレングリコール、３価アルコールとしては、グリセリン、４価アルコールとしてはペンタエリスリトール、ジグリセリンが挙げられる。上述に例示するポリオールは、固化し難く、または液体洗浄剤組成物への溶解性も良好である。そのため、泡吐出容器１００の使用間隔（時間）が空いても、泡吐出容器１００における目詰まりが生じ難い。この結果、ユーザは、吐出操作部（ポンプヘッド部３２）をスムーズに操作することができ、目的形状の泡造形物ＦＢを形成し易い。
【００２５】
上記観点からは、上述に例示するポリオールのうち、プロピレングリコール、ポリエチレングリコール、１，３−ブチレングリコール、イソプレングリコール、およびグリセリンから選択される１種または２種以上がより好ましく、プロピレングリコール、分子量２００以上７００以下のポリエチレングリコール、１，３−ブチレングリコール、およびグリセリンから選択される１種又は２種以上がさらに好ましい。上述のとおり（Ａ）ポリオールは、液体洗浄剤組成物２００（１００質量％）中に、０．３質量％以上３５質量％以下の範囲で含有される。液体洗浄剤組成物２００の固化を防止し、泡吐出容器１００（ポンプヘッド部３２）の押圧を軽減する観点からは、室温（２０℃）において液体である（Ａ）ポリオールの含有量の下限は、好ましくは２質量％以上であり、より好ましくは３質量％以上であり、またその上限は、好ましくは３０質量％以下であり、より好ましくは２５質量％以下である。
【００２６】
次に、液体洗浄剤組成物２００に含まれる（Ｂ）成分について説明する。本実施形態の液体洗浄剤組成物２００における（Ｂ）は、（Ｂ−１）ラウリン酸またはその塩、（Ｂ−２）ポリグリセリン脂肪酸エステル、および（Ｂ−３）カチオン化セルロースから選択される１種または２種以上含む。ここで１種を含むとは、（Ｂ）として、上記（Ｂ−１）、上記（Ｂ−２）または上記（Ｂ−３）のいずれかに分類された１または２以上の化合物を含むという意味である。したがって、（Ｂ）として（Ｂ−１）のみを含むという場合には、液体洗浄剤組成物２００は、（Ｂ）として「ラウリン酸、またはラウリン酸塩、またはラウリン酸およびラウリン酸塩の組み合わせ」のいずれかのみを含むことをいう。
同様に、（Ｂ）として（Ｂ−２）のみを含むという場合には、液体洗浄剤組成物２００は、（Ｂ）として「１つの化学式で示されるポリグリセリン脂肪酸、または異なる化学式で示される２以上のポリグリセリン脂肪酸の組み合わせ」を含む。
また同様に、（Ｂ）として（Ｂ−３）のみを含むという場合には、液体洗浄剤組成物２００は、（Ｂ）として「分子量の略等しいカチオン化セルロース、または異なる分子量のカチオン化セルロースの組み合わせ」を含む。
また２種以上を含むとは、（Ｂ）として、上記（Ｂ−１）、上記（Ｂ−２）または上記（Ｂ−３）のいずれか２以上が選択されるとともに、それぞれに分類された化合物を、１または２以上含むという意味である。
【００２７】
上記ラウリン酸は、炭素数１２の飽和脂肪酸である。ラウリン酸の塩とは、たとえばラウリン酸のアルカリ金属塩、又は置換もしくは非置換のアンモニウム塩である脂肪酸塩である。ここで非置換とは、炭化水素基以外の基を有しないことを意味する。ラウリン酸またはその塩は、１種単独で又は２種以上を適宜組み合わせて用いることができる。ラウリン酸塩として、ヤシ油脂肪酸塩のような混合物を用いることもできる。
上記アルカリ金属塩としては、カリウム塩、ナトリウム塩が挙げられ、カリウム塩が好ましい。置換又は非置換のアンモニウム塩としてはアミン塩が挙げられ、具体的には、一級アミン塩、二級アミン塩、三級アミン塩等のアルキルアンモニウム塩、モノエタノールアミン塩、ジエタノールアミン塩、トリエタノールアミン塩等のヒドロキシアルキルアンモニウム塩等が挙げられる。この中でもアルカリ金属塩、ヒドロキシアルキルアンモニウム塩が好ましく、カリウム塩が好ましい。
【００２８】
上記（Ｂ−２）であるポリグリセリン脂肪酸エステルは、複数のグリセリンが縮重合してなるポリグリセリンと脂肪酸とがエステル結合した構造を有し、たとえばデカグリセリン脂肪酸エステルを挙げることができる。デカグリセリン脂肪酸エステルは、１０個程度のグリセリンを縮重合してなるポリグリセリンと脂肪酸とがエステル結合した構造を有する。当該脂肪酸としては、たとえば、ラウリン酸、ミリスチン酸、ステアリン酸、オレイン酸、ベヘニン酸などを挙げることができる。
【００２９】
上記（Ｂ−３）であるカチオン化セルロースは、セルロースに任意のカチオン化剤を付加して生成される。本実施形態において用いられるカチオン化セルロースは特に限定されないが、たとえば、分子量４０万以上１５０万以下の範囲であり、カチオン性窒素含量１％以上２．５％以下（％とは質量％を意味する、以下、本段落において同じ）のものが好ましい。カチオン化セルロースの市販品の例としては、例えば、ポイズＣ−６０Ｈ（分子量６０万、Ｎ含量２．２％）、ポイズＣ−Ｍ８０（分子量８０万、Ｎ含量１．５％）、ポイズＣ−Ｌ１５０（分子量１５０万、Ｎ含量１．３％）、ポイズＣ−１５０Ｌ（分子量１５０万、Ｎ含量１．０〜１．５％）（以上、花王株式会社製）；ポリマーＪＲ４００（分子量４０万、Ｎ含量１．７％）（ユニオン・カーバイド社製）；カチナールＬＣ−１００（分子量４０万、Ｎ含量１．０％）、カチナールＨＣ−１００Ｋ（分子量４０万、Ｎ含量２．０％）、カチナールＬＣ−２００（分子量１５０万、Ｎ含量１．２％）（以上、東邦化学工業株式会社製）などが挙げられる。液体洗浄剤組成物２００は、カチオン化セルロースを含有することにより、適度な粘度をもたせつつ、泡切れのよい泡造形物を形成することができる。
【００３０】
液体洗浄剤組成物２００は、上述する（Ｂ−１）、（Ｂ−２）、および（Ｂ−３）から選択される１種または２種以上を含有することで、泡状の液体洗浄剤組成物２００（泡造形物ＦＢ）を低粘度に維持することができ、吐出口からの泡切れは良好でありながら滑らかな外縁で目的の形状の泡造形物ＦＢを形成可能な泡体Ｂを得ることができる。即ち、上述する（Ｂ−１）から（Ｂ−３）は、いずれも液体洗浄剤組成物２００の泡造形性に好適に関与する泡造形剤である。
（Ｂ−１）、（Ｂ−２）、および（Ｂ−３）から選択される１種または２種以上は、吐出口からの泡切れを良好にしながら目的の泡造形物ＦＢの造形性を良好にする観点から、液体洗浄剤組成物２００に対し、０．０１質量％以上１６質量％以下の範囲で含有されることが好ましい。１６質量％以下とすることで、泡状の液体洗浄剤組成物２００を適度な粘度に押さえ、増粘によるポンプの押し難さを抑制し、吐出口２０から泡状の液体洗浄剤組成物２００（泡体Ｂ）をスムーズに吐出させ得る。
特に、ラウリン酸またはその塩を含有する液体洗浄剤組成物２００は、鮮鋭な泡造形物ＦＢを良好に形成することができる。
また、液体洗浄剤組成物２００は、（Ｂ−２）ポリグリセリン脂肪酸エステルおよび（Ｂ−３）カチオン化セルロースを含むことによっても鮮鋭な泡造形物ＦＢを良好に形成することができる。これは、ポリグリセリン脂肪酸エステルが泡体Ｂにおける他の成分（たとえばポリオールおよびカチオン化セルロース）を良好に分散させて泡体Ｂの吐出口２０に対する泡きれを向上させるとともに、カチオン化セルロースによる泡体Ｂの粘度の向上により、鮮鋭な泡造形物ＦＢが形成されるためと推察される。
【００３１】
本実施例において、液体洗浄剤組成物２００は、（Ｂ）として、（Ｂ−１）ラウリン酸またはその塩を酸換算量で０．１質量％以上１２質量％以下、（Ｂ−２）ポリグリセリン脂肪酸エステルを０．１質量％以上３質量％以下、および（Ｂ−３）カチオン化セルロースを０．０１質量％以上０．２質量％以下、から選択される１種または２種以上、を含有することが好ましい。
これによって、良好な洗浄性を発揮することに加え、吐出口２０から吐出された泡状の液体洗浄剤組成物２００（泡体Ｂ）がしっかりしたクリーミーな状態になる。かかる組み合わせの液体洗浄剤組成物２００を用いて形成された泡造形物ＦＢの造形性が良好であり、泡造形物ＦＢの外縁が鮮鋭になる傾向にある。
【００３２】
ここで、液体洗浄剤組成物２００は、（Ｂ）としてラウリン酸またはその塩を含むとともに、炭素数１２を超える脂肪酸またはその塩を適量な範囲で含んでいることが好ましい。ここで適量とは、ラウリン酸またはその塩は、酸換算量で０．１質量％以上１２質量％以下であり、好ましくは１質量％以上１０質量％以下であり、より好ましくは２質量％以上８質量％以下である。これに対し炭素数１２を超える脂肪酸またはその塩は、酸換算量で０．０１質量％以上２質量％以下であり、好ましくは０．０５質量％以上１．５質量％以下である。かかる構成によれば、泡造形物ＦＢの泡造形性が良好になり、外縁が鮮鋭な泡造形物ＦＢを良好に提供することができる。かかる観点からは、液体洗浄剤組成物２００において、ラウリン酸またはその塩の含有量が、炭素数１２を超える脂肪酸またはその塩の含有量を上回ることがより好ましい。特に、液体洗浄剤組成物２００は、ラウリン酸またはその塩の酸換算量１００質量部に対して、炭素数１２を超える脂肪酸（たとえばミリスチン酸またはパルミチン酸）またはその塩から選択される１種又は２種以上を、酸換算量で０．１質量部以上３０質量部以下の範囲で含有することが好ましい。当該範囲において、炭素数１２を超える脂肪酸（たとえばミリスチン酸またはパルミチン酸）またはその塩から選択される１種又は２種以上は、酸換算量で０．６５質量部以上であることがより好ましく、また２５質量部以下であることがより好ましい。
炭素数１２を超える脂肪酸またはその塩は、１種で又は２種以上を適宜組み合わせて用いられることができ、ヤシ油脂肪酸塩のような混合物を用いることもできる。炭素数１２を超える脂肪酸またはその塩が２種類以上含まれる場合には、それらの合計の配合量が、上記好ましい数値範囲になるよう調整されることが好ましい。
【００３３】
上述する炭素数１２を超える脂肪酸またはその塩とは、たとえば、ミリスチン酸もしくはその塩、またはパルミチン酸もしくはその塩を挙げることができるが、これに限定されない。ミリスチン酸またはパルミチン酸の塩とは、たとえば、ミリスチン酸またはパルミチン酸のアルカリ金属塩、又は置換もしくは非置換のアンモニウム塩である脂肪酸塩である。ここで非置換とは、炭化水素基以外の基を有しないことを意味する。上記アルカリ金属塩としては、カリウム塩、ナトリウム塩が挙げられ、カリウム塩が好ましい。置換又は非置換のアンモニウム塩としてはアミン塩が挙げられ、具体的には、一級アミン塩、二級アミン塩、三級アミン塩等のアルキルアンモニウム塩、モノエタノールアミン塩、ジエタノールアミン塩、トリエタノールアミン塩等のヒドロキシアルキルアンモニウム塩等が挙げられる。この中でもアルカリ金属塩、ヒドロキシアルキルアンモニウム塩が好ましく、カリウム塩がより好ましい。
【００３４】
上述する（Ａ）に記載のポリオールと、上述する（Ｂ）に記載のいずれか１種または２種以上の化合物との質量比［（Ａ）／（Ｂ）］の比率は特に限定されないが、たとえば０．８以上８以下であることが好ましい。特に（Ｂ）としてラウリン酸またはその塩、またはラウリン酸および炭素数１２を超える脂肪酸またはその塩の組み合わせが、所定のポリオールに対し、０．８以上２以下で含有されることが好ましい。これにより、良好な造泡性を発揮するとともに、外縁の鮮鋭な泡造形物ＦＢを形成しやすい。
【００３５】
液体洗浄剤組成物２００の調製方法は特に限定されないが、たとえば所定の成分と水とを混合して調製することができる。水を含む液体洗浄剤組成物２００における好ましい例として、当該水と、（Ａ）に記載のポリオールとの質量比［（水）／（Ａ）］が、５以上２５以下であり、かつ、当該水と（Ｂ）との質量比［（水）／（Ｂ）］が、８以上６０以下であることが好ましく、（Ｂ）としてラウリン酸又はその塩、又はラウリン酸および炭素数１２を超える脂肪酸又はその塩の組合せと水との質量比［（水）／（Ｂ）］は８以上３０以下であることが好ましい。かかる配合比率により、充分な洗浄性を担保するとともにクリーミーな泡を形成してユーザに対し良好な使用感を与え、かつ外縁の鮮鋭な泡造形物ＦＢを形成しやすい。
【００３６】
次に、液体洗浄剤組成物２００に適宜含有可能なアニオン性界面活性剤および両性界面活性剤について説明する。これらの界面活性剤（以下、（Ｃ）と呼ぶ場合がある）は、上述する（Ｂ）とは異なるアニオン性界面活性剤および両性界面活性剤から選択される１種または２種以上である。液体洗浄剤組成物２００において、（Ｃ）は、２．５質量％以上１０質量％以下の範囲で含まれるとよい。
【００３７】
上記アニオン性界面活性剤の例としては、炭素数７以上２３以下の炭化水素基を有する硫酸エステル系、硫酸エーテル系、リン酸エステル系、スルホン酸系及びカルボン酸系界面活性剤であって、ナトリウム、カリウム等のアルカリ金属、マグネシウム、カルシウム等のアルカリ土類金属、アンモニウム、モノ、ジ又はトリ炭素数２以上３以下アルカノールアミン及びリジン、アルギニン等の塩基性アミノ酸の塩が挙げられる。アニオン性界面活性剤は酸の状態で配合し塩基性物質を加えても良い。
【００３８】
硫酸エステル系としては、アルキル硫酸塩、ポリオキシエチレン（平均付加モル数０．５から８）アルキル硫酸塩が好ましい。リン酸エステル系としては、モノ（又はジ）ポリオキシエチレン（平均付加モル数０から１０）直鎖又は分岐鎖アルキル（又はアルケニル）リン酸エステル塩が好ましい。スルホン酸系としては、α−オレフィンスルホン酸塩、アルカンスルホン酸塩、ポリオキシエチレン（平均付加モル数０から１０）アルキルスルホコハク酸エステル、アシル化イセチオン酸塩及びアシル化タウリンが好ましく、アルキルベンゼンスルホン酸塩も例示される。また、カルボン酸系としては、脂肪酸塩、ポリオキシエチレン（平均付加モル数０から１０）アルキル（又はアルケニル）エーテルカルボン酸塩及びアシル化アミノ酸塩が好ましい。アシル化アミノ酸塩のアミノ酸残基としては、グルタミン酸、アスパラギン酸、アラニン、グリシン等が挙げられる。
【００３９】
これらのアニオン性界面活性剤のうち、直鎖アルキルリン酸塩、分岐鎖アルキルリン酸塩、ポリオキシエチレンアルキル硫酸塩、脂肪酸塩、アシル化アミノ酸塩が特に好ましい。
【００４０】
上記両性界面活性剤の例としては、炭素数７以上２３以下の炭化水素基を有する、カルボベタイン系、スルホベタイン系、イミダゾリウムベタイン系、アミドベタイン系、ホスホベタイン系及びアミンオキサイド系が挙げられる。
【００４１】
これらの両性界面活性剤のうち、カルボベタイン系、スルホベタイン系、アミドベタイン系、アミンオキサイド系が好ましい。
【００４２】
上記アニオン性界面活性剤は、たとえば、ラウリル硫酸ナトリウム、ポリオキシエチレンラウリルエーテル硫酸ナトリウム、ポリオキシエチレンアルキルエーテル硫酸ナトリウム、ポリオキシエチレンアルキルエーテル硫酸トリエタノールアミン、ラウレス硫酸ナトリウム、およびポリオキシエチレンラウリルエーテル酢酸またはそのアルカリ金属塩の群から選択される１種または２種以上を含むことが好ましい。これにより、液体洗浄剤組成物２００に良好な造泡性を付与することができる。
【００４３】
上記両性界面活性剤は、ラウリルヒドロキシスルホベタイン、ラウリン酸アミドプロピルベタイン、ラウリルジメチルアミノ酢酸ベタイン、またはヤシ油脂肪酸アミドプロピルベタイン液の群から選択される１種または２種以上を含むことが好ましい。これにより、液体洗浄剤組成物２００に良好な造泡性を付与することができる。
【００４４】
本実施形態における液体洗浄剤組成物２００には、上述する成分以外にも適宜、その他の成分を含有させることができる。
たとえば、洗浄剤に一般的に用いられる、油分、保湿剤、着色剤、防腐剤、殺菌剤、香料、または酸化防止剤等の成分を、１種または２種以上含有させることができる。
また液体の皮膚洗浄剤組成物に通常配合される、ジエチレングリコールモノエチルエーテル、パンテノール等の保湿剤；カチオン性ポリマー、シリコーン化合物及びその誘導体等のコンディショニング成分；エチレングリコールジステアリン酸エステル等のパール化剤；セチルトリメチルアンモニウム塩等のカチオン性界面活性剤；染料、顔料等の着色剤；粘度調整剤；クエン酸、水酸化カリウムなどのpH調整剤；塩化ナトリウム等の塩類；植物エキス類、防腐剤、殺菌剤、キレート剤、ビタミン剤、抗炎症剤、抗フケ剤、香料、色素、紫外線吸収剤、酸化防止剤などを、適宜配合できる。
【００４５】
泡状に吐出される液体洗浄剤組成物２００は、特定の用途に限定されるものではなく、たとえば、ハンドソープフォーム、洗顔フォーム、クレンジングフォーム、メイク落しフォーム、シェービングフォーム、シャンプーフォーム、身体洗浄フォーム、食器用洗浄フォーム、整髪料フォーム、ファンデーションなどの化粧料フォーム、染毛剤フォーム等に有用である。
【００４６】
＜泡吐出容器＞
次に本実施形態に用いられる泡吐出容器１００について説明する。
泡吐出容器１００は、液体洗浄剤組成物２００を収容する容器本体４０と、吐出口２０を有し容器本体４０から送出される液体洗浄剤組成物２００を吐出口２０より泡状に吐出するヘッド部３０と、吐出操作部と、を備える。吐出操作部は、ユーザの操作を受け付けるごとに所定量の泡状の液体洗浄剤組成物２００（泡体Ｂ）を吐出口２０より吐出させる部であって、本実施形態では、吐出操作部としてポンプヘッド部３２を備える。
吐出口２０は、目的形状を細幅化した連続形状に開口形成されているか、または複数設けられている。吐出口２０は、１回または複数回の吐出操作部（ポンプヘッド部３２）の操作により吐出口２０から泡状の液体洗浄剤組成物２００（泡体Ｂ）を吐出する。吐出された泡状の液体洗浄剤組成物２００（泡体Ｂ）は、吐出方向に対し交差方向に広がることで、当該吐出方向の平面視で目的形状に形成されて泡造形物ＦＢをなす。以下の説明において、「泡体が、吐出方向に対し交差方向に広がること」を、単に「吐出後拡張」という場合がある。
【００４７】
かかる構成の泡吐出容器１００に液体洗浄剤組成物２００を収容することで、ユーザの操作により吐出口２０から泡状の液体洗浄剤組成物２００（泡体Ｂ）が吐出されるとともに、泡体Ｂを受け止めた基板またはユーザの掌Ｈ（図３（ａ）参照）等の上面に、目的形状の泡造形物ＦＢが形成される。
【００４８】
泡吐出容器１００は、吐出操作部（ポンプヘッド部３２）の操作により容器本体４０から送出され空気と共に通過する液体洗浄剤組成物２００を泡状に変える気液接触部５１を有している。
即ち、本実施形態における泡吐出容器１００は、非エアゾルタイプであって、容器本体４０に収容された液体洗浄剤組成物２００は、ユーザの操作により空気と混合されて発泡状態で吐出口２０より吐出される。そのため、目的形状の泡造形物ＦＢを形成することが可能である。液体洗浄剤組成物２００とともに気液接触部５１を通過する空気は、たとえば、容器本体４０から圧送された空気、または泡吐出容器１００に設けられた外部空気取込み機構（図示省略）から取り込まれた空気などである。泡吐出容器１００の形式は限定されるものではなく、例えば、軟質容器の胴部を押圧して吐出するスクイズフォーマー型、押圧ポンプより吐出するポンプフォーマー型等を好適に用いることができる。
【００４９】
本実施形態の吐出口２０は、かかる目的形状を細幅化した連続形状に開口形成されているタイプ（以下、第一タイプともいう）、または複数設けられているタイプ（以下、第二タイプともいう）である。１回または複数回の吐出操作部（ポンプヘッド部３２）の操作により吐出口２０から吐出された泡状の液体洗浄剤組成物２００（泡体Ｂ）は、吐出方向の平面視で目的形状の泡造形物ＦＢを成す。
【００５０】
第一タイプおよび第二タイプの吐出口２０は、いずれも目的形状と同一形状ではないという共通の特徴を有している。上記２つのタイプの吐出口２０は、泡体Ｂの吐出後拡散を勘案して、目的形状の所定の部位に対し、これに相当する部位が小さく設計されている。
一般的に泡吐出容器に収容される液体洗浄剤組成物２００は、ユーザの使用感を考慮して、吐出口から吐出される泡体Ｂが、しっかりとしつつクリーミーな性状になるよう調整される。ところが、そのようにクリーミーな泡体Ｂは、吐出後拡散する。そのため、吐出口と同形の泡造形物を形成することは困難である。また吐出後拡散するため、泡体Ｂによって形成された泡造形物の外縁は不鮮鋭になる傾向が強く、目的形状をなさない。
そこで本実施形態の泡吐出容器１００は、吐出後拡散の結果、目的形状の泡造形物ＦＢとなるよう上記２つのタイプの吐出口２０のいずれかを備えるとともに、吐出後拡散したことによって泡造形物ＦＢの外縁が不鮮鋭とならないよう、好適な組成で調製された液体洗浄剤組成物２００を収容する。換言すれば、液体洗浄剤組成物２００は、外縁の鮮鋭な目的形状の泡造形物ＦＢを形成するために、上記２つのタイプの吐出口２０のいずれかを備える泡吐出容器１００に収容される。
【００５１】
以下、泡吐出容器１００について更に詳細に説明する。本明細書では、容器本体４０を正立させた状態で容器本体４０に対してヘッド部３０が位置する側を上方または上側と呼称し、反対側を下方または下側と呼称する。これらの上下方向は、必ずしも鉛直方向の上下と一致している必要はない。また以下の説明では、吐出口２０は、第一タイプ、即ち、泡造形物ＦＢの平面視形状である目的形状を細幅化した連続形状に開口形成されたタイプを例に説明する。
【００５２】
泡吐出容器１００は、容器本体４０に貯留された液状の液剤Ｌを泡状に変えて吐出する容器である。泡吐出容器１００は、機械的または電気的に駆動されて容器本体４０から液剤Ｌを吐出する容器である。泡吐出容器１００は、大別すると、液剤Ｌを貯留する容器本体４０と、この容器本体４０に装着されて液剤Ｌを吐出する泡吐出機構５０とで構成されている。
【００５３】
液剤Ｌは、常圧または加圧されて容器本体４０に貯留されている。泡吐出容器１００は、常圧で貯留された液剤Ｌを空気と接触させて、または加圧下で貯留された液剤Ｌを減圧することで、液剤Ｌを液状から泡状に変える。
【００５４】
本実施形態の泡吐出容器１００は、後述するようにポンプヘッド部３２の押し下げ操作によりピストン５５（図４参照）が駆動され、容器本体４０に常圧で貯留された液剤Ｌが吸引管５７を通じて吸い上げられる機械式のポンプ容器である。
【００５５】
容器本体４０はボトル状をなし、中空の胴部４２と、この胴部４２の上端に細径に形成された口頸部４４とを有している。容器本体４０の形状や内容積は特に限定されない。容器本体４０は合成樹脂で作成されている。ただし図示省略するが、本実施形態に代えて、ボンベ等に貯留された高圧ガスや、電気的に駆動されるモータなどを用いて液剤Ｌ（泡体Ｂ）を吐出してもよい。
【００５６】
吐出口２０は、泡吐出容器１００の外部に泡体Ｂを吐出する開口部である。ヘッド部３０は、容器本体４０の外部で液剤Ｌまたは泡体Ｂの流路を形成する部位の総称であり、吐出口２０を含む。
【００５７】
吐出口２０は、ヘッド部３０のうち容器本体４０の口頸部４４から横方向に突き出た位置の底面３１（図２参照）に下向きに開口して形成されている。吐出口２０から吐出される泡体Ｂの吐出方向は下向きであり、本実施形態では下向きの目視を平面視と呼称する。泡体Ｂは、吐出口２０から吐出されて大気圧に開放されることで、全体的には吐出口２０の形状を維持しながら、部位ごとに吐出方向に対し交差方向に広がることで局所的に拡大する。これにより、ユーザの掌Ｈ（図３（ａ）参照）や、スポンジまたはブラシ等の各種の塗布具の上で、泡体Ｂは目的形状の泡造形物ＦＢとなる。
【００５８】
本実施形態のヘッド部３０は、容器本体４０から送出される液体洗浄剤組成物２００を貯留する貯留部６０（図６参照）と、下端に吐出口２０を備える吐出ガイド２６（図２参照）を備えている。吐出ガイド２６は、ヘッド部３０（具体的には貯留部６０：図６参照）の下方に向かって延在して設けられており、吐出口２０と同形状である横断面を有する直管状の通孔２１（図６参照）を有している。本実施形態の吐出ガイド２６は、ヘッド部３０から垂下して設けられて吐出口２０の周囲を取り囲む壁状に形成されている。ここで横断面とは、通孔２１の軸方向に対し直交する方向に切断した断面を意味する。
【００５９】
ヘッド部３０は、貯留部６０を有することにより、容器本体４０からノズル部５２を通じて送出された液体洗浄剤組成物２００を減速させることができる。そして、ヘッド部３０から吐出される液体洗浄剤組成物２００（泡体Ｂ）は、吐出ガイド２６を通過することにより全体的な流れが吐出方向に整流される。これにより、吐出口２０より吐出された泡体Ｂが吐出方向に対し交差方向に著しく拡大することが抑制され、泡造形物ＦＢが所定の目的形状に好適に成形される。
【００６０】
本実施形態の吐出ガイド２６は、ヘッド部３０から下方に垂下する壁状に形成されている。これにより、吐出される泡体Ｂがヘッド部３０の下面に付着することが抑制されるため泡体Ｂの良好な泡切に貢献し、精細な泡造形物ＦＢを成形することが可能になる。ただし、本発明はこれに限られず、吐出ガイド２６をヘッド部３０の底面３１の壁内に埋め込み形成してもよい。具体的には、底面３１を肉厚に形成し、この底面３１に貫通形成した通孔２１を吐出ガイド２６として用いてもよい。この場合、底面３１に貫通形成した吐出ガイド２６から吐出される泡体Ｂの泡切れを良くする観点から、吐出ガイド２６の周囲に沿って底面３１（すなわちヘッド部３０の下面）に所定の深さの溝状の凹部を周回状に彫り込み形成してもよい。この凹部を吐出ガイド２６に近接して形成することにより、吐出ガイド２６は薄肉の壁部で取り囲まれることとなるため、ヘッド部３０の底面３１に付着する泡体Ｂを低減することができる。
【００６１】
図１に示すように、ヘッド部３０の上面には、吐出された泡体Ｂにより成形される泡造形物ＦＢ（図３（ａ）参照）を平面視した目的形状に対応するパターン表示部１５が刻設されている。本実施形態の泡吐出容器１００により成形される泡造形物ＦＢは、文字、図形または記号を表すアイコンである。本実施形態では泡造形物ＦＢの目的形状の一例として、音符記号（八分音符）を例示する。ユーザは、パターン表示部１５を目視することで、吐出口２０の形状が異なる複数種類の泡吐出容器１００を容易に見分けることができる。他の例として、パターン表示部１５はヘッド部３０の上面より突出する突出部として形成されていてもよい。
【００６２】
本実施形態の吐出口２０は、泡造形物ＦＢの平面視形状である目的形状を細幅化した連続形状に開口形成されている。ここで、目的形状を細幅化するとは、目的形状の縁に沿ってまたは目的形状の内部を埋めるようにして、目的形状を構成する各部位の幅寸法を縮小することをいう。また、吐出口２０が連続形状であるとは、吐出口２０の少なくとも一部の領域が、幅寸法に比して長さ寸法が十分に大きいライン状であることをいう。またライン状とは、代表的には一続きの長尺形状である態様が好ましいが、これに限らず、破線状や鎖線状など離散した複数の要素（開口）が長手方向に近接して並んでいる態様を含む。すなわち、本実施形態の吐出口２０は長尺のライン状の部分を含む連続形状によって目的形状の少なくとも一部を線画の如く描出するものであり、かかるライン状の部分は一続きの開口でもよく、または離散した開口が線状に並んでいてもよい。以下、ライン状とは、一続きの線状である態様と、破線状や鎖線状など離散した要素が線状に並んでいる態様と、を含む意味で用いる。そして、吐出口２０が目的形状を細幅化した連続形状であるとは、吐出後に拡大する泡体Ｂによって当該目的形状を描出することを目的として、目的形状の縁に沿ってまたは目的形状の内部を埋めるようにして、吐出口２０のライン状の部分が配置されていることをいう。
【００６３】
泡造形物ＦＢの平面視形状を形づくる一塊の目的形状を泡体Ｂで描出するにあたり、吐出口２０は一纏まりの連続形状として開口形成されていてもよく、または、複数の部分吐出口がそれぞれ連続形状で形成され、これらの部分吐出口が合わさって吐出口２０を構成してもよい。具体的には、本実施形態および後述する第一変形例（図１１（ａ）参照）にかかる吐出口２０は、それぞれ一纏まりに形成されている。
【００６４】
泡吐出容器１００は、吐出操作部（ポンプヘッド部３２）を操作することにより所定量の泡体Ｂを吐出口２０より吐出する。ここで、所定量の泡体Ｂが吐出されるとは、泡体Ｂが無制限に連続吐出されることを除く趣旨であり、吐出操作部（ポンプヘッド部３２）の各回の操作により吐出口２０から吐出される泡体Ｂの量は厳密に一定でなくてもよい。また、吐出口２０より吐出される泡体Ｂの所定量とは、ヘッド部３０を含む泡吐出機構５０（図４参照）の内部流路が予め泡体Ｂで充分に注液された状態から吐出操作部（ポンプヘッド部３２）を操作した場合に吐出口２０から送り出される泡体Ｂの嵩体積をいう。
【００６５】
一回の操作で吐出される泡体Ｂの嵩体積は、図３（ａ）に示すようにユーザの掌Ｈに載る程度が好ましく、一例として１ｃｍ３以上２０ｃｍ３以下とすることができる。本実施形態の泡吐出容器１００における各回の泡体Ｂの吐出量は、後述するピストン５５（図４参照）の往復動のストローク等のパラメータにより決定される。
【００６６】
本実施形態の泡吐出容器１００のように、吐出操作部（ポンプヘッド部３２）を操作して所定量の泡体Ｂが吐出されることで、泡造形物ＦＢが無制限に拡大することがなく、これにより所望の目的形状の泡造形物ＦＢを形成することができる。そして、予め設定された所定回数（１回または複数回）に亘って吐出操作部（ポンプヘッド部３２）を繰り返し操作することで吐出される泡体Ｂの総量によって所望の目的形状の泡造形物ＦＢが成形されるように、吐出口２０の具体的な開口形状、特に目的形状を細幅化する度合いは決定される。
【００６７】
吐出口２０の形状について更に詳細に説明する。
【００６８】
図２に示すように、本実施形態の吐出口２０は、ライン状の細幅開口部２２と、この細幅開口部２２よりも太幅の太幅開口部２４とを有している。太幅開口部２４は、細幅開口部２２に連続形成されている。吐出口２０は、細幅開口部２２および太幅開口部２４によって連続形状に形成されている。
【００６９】
ライン状の細幅開口部２２は、上述したように一続きの長尺形状の開口でもよく、または離散した開口が線状に並んでいてもよい。細幅開口部２２は等幅の帯状でもよく、または細幅開口部２２の開口幅は長さ方向に亘って変化していてもよい。
【００７０】
細幅開口部２２の延在形状は特に限定されず、直線状でもよく、湾曲または屈曲していてもよい。本実施形態の細幅開口部２２は、互いに屈曲して接続された複数の細幅開口部２２ａ・２２ｂで構成されている。後述するように、細幅開口部２２ａは直線状をなし、細幅開口部２２ｂは湾曲状をなしている。
【００７１】
太幅開口部２４は、吐出口２０のうちライン状の細幅開口部２２の開口幅よりも太幅に形成された開口領域である。具体的には、吐出口２０の開口幅が不連続にまたは急激に増大する境界部を挟んで、開口幅が小さい側を細幅開口部２２と呼称し、大きい側を太幅開口部２４と呼称する。
【００７２】
太幅開口部２４の形状は特に限定されず、細幅開口部２２よりも太幅のライン状でもよく、多角形状や略円形状でもよい。図２に示すように、本実施形態の太幅開口部２４は、細幅開口部２２（２２ａ、２２ｂ）の幅寸法よりも大径の略円形をなしている。
【００７３】
図３（ａ）に示すように、吐出口２０から吐出されて成形された泡造形物ＦＢは、太幅開口部２４に対応する太幅泡部ＷＰと、細幅開口部２２に対応する細幅部ＮＰとを有している。本実施形態の泡吐出容器１００により成形される泡造形物ＦＢは、図３（ｂ）に模式的に示すように、太幅泡部ＷＰと細幅部ＮＰとが略同高さに成形される。即ち、本実施形態は、吐出口２０が連続形状に開口形成されていることで、吐出された泡体Ｂは吐出口２０の幅方向にもっぱら拡大し、長手方向には実質的に拡大せずに泡造形物ＦＢが成形される。このため、少ない量の泡体Ｂで所望の目的形状の泡造形物ＦＢを成形することができる。また、泡造形物ＦＢの高低差が抑制されていることで、所望の目的形状を平面視で精細に描出することができる。
【００７４】
図４はヘッド部３０を含む泡吐出機構５０の側面図である。図５はヘッド部３０の平面図である。図６は図５のVI−VI線断面図であり、ヘッド部３０の側面断面図である。図７は泡吐出用アタッチメント１０の斜視図である。
【００７５】
図４に示すように、泡吐出機構５０は、上述したヘッド部３０のほか、キャップ５３、ハウジング５６、吸引管５７および後述する気液接触部５１を備えている。ハウジング５６は、ピストン５５、バネ体５８およびボール弁５９を収容するとともに空間を有しており空気室をなしている。ハウジング５６は、容器本体４０（図１参照）の内部に設置される。吸引管５７は、ハウジング５６の下方に連通して設けられて液剤Ｌを吸い上げる管である。キャップ５３は、ハウジング５６および吸引管５７を容器本体４０の内部に設置した状態で容器本体４０の口頸部４４（図１参照）に対して着脱可能に装着されて泡吐出機構５０を固定する。
【００７６】
すなわち、本実施形態の泡吐出容器１００は、容器本体４０にキャップ５３を介して装着されキャップ５３に対して往復動可能に設けられたピストン５５と、ピストン５５を収容し吐出口２０と連通するハウジング５６と、を更に有している。そして本実施形態の吐出操作部は、ユーザの押し下げ操作を受け付けてピストン５５を往復動させることにより液剤Ｌを容器本体４０からハウジング５６に吸い上げてヘッド部３０より吐出させるポンプヘッド部３２である。
【００７７】
泡吐出機構５０の構造および動作について簡単に説明する。ボール弁５９は、ハウジング５６および吸引管５７に貯留された液剤Ｌの落下を防止する弁体である。ユーザが手などでヘッド部３０のポンプヘッド部３２（吐出操作部）を押し下げることで、ピストン５５の下端によりボール弁５９の上昇（開放）が規制された状態で、ピストン５５はハウジング５６の内部の空気圧を上昇させる。ピストン５５には、ハウジング５６とヘッド部３０とを連通する小孔の液流路（図示せず）が設けられている。液流路の開口面積は十分に小さいため、ポンプヘッド部３２を勢いよく押し下げることでハウジング５６の空気圧が上昇し、その後に液剤Ｌはハウジング５６からヘッド部３０に押し上げられる。ヘッド部３０には、外部と連通する空気流路（図示せず）が設けられている。ヘッド部３０の内部には液剤Ｌの流路上に気液接触部５１が設けられている。気液接触部５１は、多孔質膜体（たとえばメッシュ）を備えており、ヘッド部３０の外部の空気およびハウジング５６の内部の空気が液剤Ｌとともに気液接触部５１を通過することで液剤Ｌを泡状（泡体Ｂ）に変える。この泡体Ｂは、ヘッド部３０の吐出口２０より吐出される。ユーザがポンプヘッド部３２から手などを離すと、バネ体５８はピストン５５を弾性的に復位させる。これによりハウジング５６の内部は低圧となり、ボール弁５９が開放されて新たな液剤Ｌが吸引管５７に吸い上げられ、ハウジング５６は再び注液される。また、空気流路を通じてヘッド部３０に外部の空気が取り込まれてヘッド部３０の内部は大気圧を維持する。
【００７８】
気液接触部５１に説明する。本実施形態における気液接触部５１は、多孔質膜体を備える。当該多孔質膜体は、液体洗浄剤組成物２００が通過する厚さが０．１ｍｍ以上２ｍｍ以下程度のスポンジ、焼結体、網等であって、単層または複数層であって、一か所または複数箇所に配置される。たとえば、多孔質膜体のメッシュサイズとしては５０メッシュ以上５００メッシュ以下であることが好ましい。
【００７９】
なお、上述の泡吐出機構５０の構造および動作は一例であり、公知の泡吐出容器に設けられる泡吐出機構を適宜選択して使用することができる。
【００８０】
本実施形態の泡吐出機構５０によれば、ポンプヘッド部３２（吐出操作部）の１回ごとの操作により吐出口２０から所定量の泡体Ｂが吐出される。この所定量は、ピストン５５の往復動のストローク等のパラメータによって設定される。
【００８１】
上述のとおり気液接触部５１を通過することで泡状（泡体Ｂ）となった液体洗浄剤組成物２００は、吐出口２０に向かって流通する。ここで本実施形態の泡吐出容器１００におけるヘッド部３０には、泡状の液体洗浄剤組成物２００を吐出口２０へと導出する最小開口部６７（図６参照）を有している。最小開口部６７は、気液接触部５１を通過して泡状となった液体洗浄剤組成物２００が貯留部６０へと流通するノズル部５２の任意の箇所または、ノズル開口５４であって、開口面積が最小となる箇所を指す。本実施形態における最小開口部６７は、図６に示すとおり、気液接触部５１より先端側であって略Ｌ字状に屈曲したノズル部５２の屈曲開口部分である。本実施形態の変形例として、最小開口部６７は、たとえばノズル開口５４であってもよい。本実施形態における最小開口部６７の開口面積Ｓ１と、吐出口２０の開口面積Ｓ２との比率［（Ｓ１）／（Ｓ２）］は、０．０１以上１．０以下の範囲となるよう構成されていることが好ましく、当該範囲の下限は、０．０５以上であることがより好ましく、また当該範囲の上限は、０．７以下であることがより好ましく、０．５以下であることがさらに好ましい。
このように、最小開口部６７を設けて気液接触部５１を通過して貯留部６０までの泡状の液体洗浄剤組成物２００の流路を一旦、絞ることによって、径の大きい泡が吐出口２０に導出されることを回避し、きめ細やかな泡体Ｂを吐出可能とする。これによって、表面形状が滑らかで、目的形状に即した泡造形物ＦＢの形成がより良好に実現される。ここで開口面積Ｓ１とはノズル部５２の軸心に対し垂直に切断してなる断面の面積のことを意味する。
ここで吐出口２０の開口面積Ｓ２とは、開口する吐出口２０の全面積であって、たとえば、図２に示す吐出口２０では、太幅開口部２４、細幅開口部２２ａおよび細幅開口部２２ｂの全ての開口の面積の総和である。また後述する第二実施形態にように吐出口２０が複数設けられている場合には、全ての吐出口２０の開口の面積の総和である。本実施形態において吐出口２０の開口面積Ｓ２は、たとえば４０ｍｍ２を超えて１２００ｍｍ２以下の範囲であることが好ましい。開口面積Ｓ２の上記範囲の下限は、５０ｍｍ２以上であることがより好ましく、また上記範囲の上限は、５００ｍｍ２以下であることがより好ましく、３００ｍｍ２以下であることがさらに好ましく、２００ｍｍ２以下であることが特に好ましい。
最小開口部６７は、気液接触部５１を通過して貯留部６０までの間に位置し、開口面積が最小の部位である。最小開口部６７の開口面積は、これより先端側（吐出口２０側）および基端側（容器本体４０側）の流路断面積に比べて小さい。本実施形態では、最小開口部６７から嵌合部１６に向けて泡状の液体洗浄剤組成物２００の流路断面積は、緩やかに増大している（図６参照）。
【００８２】
上述する比率［（Ｓ１）／（Ｓ２）］が０．０１以上１．０以下である泡吐出容器１００に、下記液体洗浄剤組成物２００を収容することは本発明の好ましい態様の一つである。即ち、当該液体洗浄剤組成物２００とは、上記（Ｂ）としてラウリン酸またはその塩を含むとともに、炭素数１２を超える脂肪酸またはその塩を含み、ラウリン酸またはその塩が、酸換算量で０．１質量％以上１２質量％以下であり、炭素数１２を超える脂肪酸またはその塩が、酸換算量で０．０５質量％以上２質量％以下である。かかる構成によれば、最小開口部６７の開口面積Ｓ１よりも吐出口２０の開口面積Ｓ２を有意に大きくし、目的形状の泡造形物ＦＢを、充分に存在感を発揮する程度に大きくデザインすることができるとともに、当該デザインの泡造形物ＦＢを鮮鋭な外縁で形成することが可能である。
【００８３】
吐出操作部（ポンプヘッド部３２）の操作により容器本体４０からヘッド部３０まで吸い上げられた液体洗浄剤組成物２００は、吐出口２０から鉛直下向きに吐出される。本実施形態では、具体的には、液体洗浄剤組成物２００（液剤Ｌ）は、容器本体４０からヘッド部３０に対し鉛直上向きに吸い上げられるとともに気液接触部５１を通過することによって泡状（泡体Ｂ）になる。泡状の液体洗浄剤組成物２００（泡体Ｂ）は、ヘッド部３０を通過して、吐出口２０から鉛直下向きに吐出される。ここで鉛直上方向および鉛直下方向とは、略水平な設置面に設置された泡吐出容器１００を通常の使用方法で使用（操作）したときの上下方向を意味する。本実施形態では、上述する鉛直下向きの方向は、通孔２１（図６参照）の軸方向と略等しい。尚、本段落でいう液体洗浄剤組成物２００の吸い上げ方向とは、容器本体４０から吐出口２０までの液体洗浄剤組成物２００が流通する全経路の方向を指すものではなく、容器本体４０からヘッド部３０にさしかかる領域における吸い上げ方向を意味する。
【００８４】
以上のとおり吸い上げ方向と吐出方向とが異なるとともに吐出方向が鉛直下向きであることによれば、容器本体４０から吸い上げられた液体洗浄剤組成物２００はヘッド部３０において減速されるとともに、吐出口２０の形状が吐出された泡体Ｂに良好に反映される。そのため、外縁が鮮鋭であり目的形状をなす泡造形物ＦＢが良好に形成される。
【００８５】
図４から図６に示すように、本実施形態のヘッド部３０は、ノズル部５２と泡吐出用アタッチメント１０とを組み合わせてなる。ノズル部５２は、容器本体４０から泡状の液剤（泡体Ｂ）を送出するノズル開口５４を有している。ノズル部５２は、気液接触部５１の上方に設けられてハウジング５６と連通し、泡状に変えられた液剤Ｌが流通する部位である。本実施形態のノズル部５２はポンプヘッド部３２の内部に一体形成されている。
泡吐出用アタッチメント１０は、泡吐出容器１００のノズル部５２に対して着脱可能に装着して用いられる。泡吐出用アタッチメント１０は吐出口２０を有しており、ノズル部５２に対して着脱可能に装着されることにより吐出口２０とノズル開口５４とが連通する。すなわち、本実施形態の泡吐出用アタッチメント１０は、目的形状を細幅化した連続形状の吐出口２０を有し、ノズル開口５４より吐出される泡状の液剤Ｌ（泡体Ｂ）を受容して吐出口２０から吐出することにより目的形状の泡造形物ＦＢを形成する。
【００８６】
ヘッド部３０を泡吐出用アタッチメント１０とノズル部５２とに分離可能とすることで、吐出口２０の開口形状が異なる複数種類の泡吐出用アタッチメント１０をノズル部５２に対して交換して装着することができる。これにより、容器本体４０および泡吐出機構５０を共用して、異なる目的形状の泡造形物ＦＢを吐出成形することができる。逆に、共通の泡吐出用アタッチメント１０を、異なる容器本体４０を泡吐出機構５０に対して付け替えて装着することができる。これにより、容器本体４０および泡吐出機構５０を廃棄および交換しても泡吐出用アタッチメント１０を継続して使用することができ、また汎用されている容器本体４０および泡吐出機構５０に対して泡吐出用アタッチメント１０を後装着することができる。
【００８７】
図６および図７に示すように、泡吐出用アタッチメント１０は、ノズル開口５４を挿入させる嵌合部１６と、ノズル部５２に対して着脱可能に掛止する掛止部１８と、を有している。泡吐出用アタッチメント１０の嵌合部１６は、泡吐出機構５０のノズル部５２の外形に対応する形状の開口部であり、ノズル部５２を密着して嵌合させる。掛止部１８の具体的な形状は特に限定されないが、本実施形態の掛止部１８は上向きに突出する爪状の突起部であり、嵌合部１６を挟んで両側に一対の掛止部１８が設けられている。図２に示すように、本実施形態のポンプヘッド部３２は傘状をなし、ポンプヘッド部３２の周縁部３３は下方に垂下している。泡吐出用アタッチメント１０の掛止部１８は、ポンプヘッド部３２の周縁部３３のうちノズル部５２を挟む両側に対して掛止する。これにより、ポンプヘッド部３２に装着された泡吐出用アタッチメント１０がポンプヘッド部３２に対して前後または左右方向に傾くことが防止される。このため、ポンプヘッド部３２を押し下げ操作して泡体Ｂがノズル部５２から泡吐出用アタッチメント１０に勢いよく送出されても、泡吐出用アタッチメント１０が不測に傾いたり外れたりすることがない。
【００８８】
図６に示すように、ヘッド部３０は、容器本体４０から送出される液体洗浄剤組成物２００を一時的に貯留するとともに液体洗浄剤組成物２００を吐出口２０へと流通させる貯留部６０を有している。
貯留部６０は、容器本体４０からノズル部５２を通じて送出された泡状の液剤（泡体Ｂ）を減速させ、吐出口２０の全体に対して泡体Ｂを分散させて供給するための空洞部である。貯留部６０は、容器本体４０からノズル部５２を通じて送出された泡状の液体洗浄剤組成物２００（泡体Ｂ）を一時的に貯留することにより減速させる。減速した泡状の液体洗浄剤組成物２００は、貯留部６０を流通し吐出口２０に到達する。即ち、貯留部６０は、ノズル開口５４と吐出口２０との間に配置され、ヘッド部３０における泡体Ｂの流路をなしている。
本実施形態の貯留部６０は、流路断面積が拡張する拡張部１０４と、拡張部１０４より先端側に設けられ拡張部１０４よりも流路断面積が小さい縮小部１０６と、を有している。縮小部１０６の先端側には、吐出口２０の少なくとも一部が設けられている。拡張部１０４は、これより基端側（容器本体４０側）に位置するノズル開口５４の開口径よりも大きく形成されている。拡張部１０４を通過した泡状の液体洗浄剤組成物２００は流れ方向が拡散することで充分に減速されるとともに、さらに先端側で縮小部１０６を通過することで再度、集約される。そのため縮小部１０６よりも先端側に設けられた吐出口２０の少なくとも一部に充分な量の泡状の液体洗浄剤組成物２００が送り込まれる。このように拡張部１０４と縮小部１０６とを有する泡吐出容器１００によれば、泡状になった液体洗浄剤組成物２００が、本実施形態の如く異形の吐出口２０または複数の吐出口２０に偏りなく送り込まれて吐出される。そのため、かかる泡吐出容器１００は、目的形状の泡造形物ＦＢを鮮鋭に形成することに貢献する。
【００８９】
本実施形態の貯留部６０は、ヘッド部３０を構成する泡吐出用アタッチメント１０の内部であって吐出口２０と嵌合部１６との間に形成されている。より具体的には、貯留部６０は泡体Ｂの流路上のうち吐出口２０の手前側に隣接して設けられている。嵌合部１６は、貯留部６０の基端側（同図右方）に開口して設けられている。掛止部１８は、貯留部６０の基端側に突出形成されており、ノズル部５２に対して下方から掛止する。貯留部６０の天面６６は、液剤Ｌの送出方向の先端側（同図左方）に向かって、吐出口２０に向けて下り傾斜している。貯留部６０の内部高さは、液剤（泡体Ｂ）の送出方向の先端側に向かって低減している。
【００９０】
吐出口２０が開口形成されているヘッド部３０（泡吐出用アタッチメント１０）が貯留部６０を有することで、容器本体４０から送出された泡体Ｂが貯留部６０に一旦貯留されたうえで吐出口２０の全体から下向きに均一に吐出される。このため、吐出口２０のうち泡体Ｂの送出方向の先端側（図６左方）に偏って泡体Ｂが吐出されることが防止され、吐出口２０の全体から泡体Ｂが均一に吐出される。ここで、容器本体４０から送出された泡体Ｂは、貯留部６０の内部のうち先端側で減速されて滞留しやすい。これに対し、本実施形態の貯留部６０のように天面６６が吐出口２０に向けて下り傾斜していることで、容器本体４０から送出されて天面６６に衝突した泡体Ｂは吐出口２０に向かって向きが変えられる。このため、ポンプヘッド部３２を押し下げ操作して容器本体４０から泡吐出用アタッチメント１０に送出された泡体Ｂが貯留部６０の先端側において過度に滞留することを防止し、吐出口２０からスムーズに吐出される。また、吐出口２０の内部高さが、泡体Ｂの送出方向の先端側、すなわちノズル開口５４から遠方に向かって低減することで、貯留部６０の内部で減速された泡体Ｂが貯留部６０の先端側で滞留することが抑制される。これにより、ポンプヘッド部３２の各回の押し下げ操作により均一な量（所定量）の泡体Ｂが吐出口２０から吐出され、成形される泡造形物ＦＢの目的形状の再現性が良好となる。貯留部６０の容積は特に限定されないが、ポンプヘッド部３２を１回だけ押し下げることでノズル開口５４から吐出される泡体Ｂの体積（すなわち、吐出される液剤Ｌと、当該液剤Ｌに取り込まれた空気との合計体積）よりも小さいことが好ましい。これにより、ノズル部５２のノズル開口５４を通過した泡体Ｂがすみやかに吐出口２０から吐出されて目的形状となり、またヘッド部３０（泡吐出用アタッチメント１０）の内部に残留する泡体Ｂの体積を低減させることができる。
【００９１】
上述のように、泡吐出容器１００のヘッド部３０はノズル部５２を有している。本実施形態のノズル部５２は、容器本体４０から送出される泡状の液剤（泡体Ｂ）を貯留部６０の内部に斜め下向きに吐出する。また、ヘッド部３０（本実施形態では泡吐出用アタッチメント１０）は、当該斜め下向きに対して略正対する傾斜面６２を有している。傾斜面６２は貯留部６０の内部に設けられている。これにより、ノズル開口５４から泡吐出用アタッチメント１０に吐出された泡体Ｂは傾斜面６２に衝突して減速され、貯留部６０の内部に均一に充填される。その後、泡体Ｂは吐出口２０から下向きに吐出される。吐出口２０は、傾斜面６２の先端側と基端側とに亘って形成されている（図１０参照）。すなわち、泡吐出用アタッチメント１０のうち嵌合部１６に近接する基端側は、ノズル開口５４から勢いよく送出された泡体Ｂが空過しやすく、先端側に比べて泡体Ｂが吐出されにくい部位であるところ、本実施形態のように傾斜面６２を貯留部６０の内部に形成して泡体Ｂを減速することで、吐出口２０の先端側と基端側とに亘って泡体Ｂの吐出量を均一化することができる。
【００９２】
吐出ガイド２６は、貯留部６０から下方に延在して設けられている。貯留部６０の内部で減速されて一旦貯留された泡体Ｂは、吐出ガイド２６に流入して下向きに案内されて吐出口２０より吐出される。貯留部６０の下方に吐出ガイド２６を設けることで、吐出口２０から吐出された泡体Ｂが拡大することが低減される。すなわち、泡体Ｂは、液状の液剤Ｌに比して嵩密度が低いため圧縮性が高く、ノズル開口５４から貯留部６０に送出されて貯留された泡体Ｂは圧縮されている。このため、吐出ガイド２６の通過長さが短い場合には吐出後の泡体Ｂは大きく拡大する。これに対し、吐出ガイド２６の通過長さが長い場合には、吐出ガイド２６を通過する間に泡体Ｂの圧力が徐々に緩和され、また吐出ガイド２６を通過することで泡体Ｂの流れが整流される。これにより、吐出される泡体Ｂの形状が安定し、また吐出後の泡体Ｂの拡大が抑制されるため、目的形状の泡造形物ＦＢが精細に成形される。
【００９３】
また、図６に示すように貯留部６０の内部底面６４は、傾斜面６２の基端側（内部底面６４ａ）よりも先端側（内部底面６４ｂ）で高く形成されている（図８も参照）。吐出ガイド２６は、貯留部６０の内部底面６４を上端とし、吐出口２０を下端とする。したがって、吐出ガイド２６の開始高さ（上端高さ）は、傾斜面６２よりも基端側では低く、傾斜面６２よりも先端側ではこれよりも高い。また、図４に示すように、吐出口２０は水平に延在して形成されている。このため、吐出ガイド２６の通過長さ（図４および図６における上下長さ）は、傾斜面６２の基端側（図４右方）よりも先端側（図４左方）において長くなっている。これにより、吐出口２０の先端側から吐出される泡体Ｂが吐出後に拡大することが適度に抑制される。このため、ポンプヘッド部３２の押し下げ回数や押し下げ長さにばらつきが生じて泡体Ｂの吐出量が多少変動しても、所望の目的形状の泡造形物ＦＢが良好に形成される。そして本実施形態の吐出口２０は、後記のように貯留部６０の先端側に太幅開口部２４が形成されて泡体Ｂの通過量が多くなっている。このため、上記のように太幅開口部２４に対応する吐出ガイド２６の通過長さを大きくすることで、吐出口２０の先端側と基端側をそれぞれ通過する泡体Ｂが吐出後に拡大する比率が均一化される。
【００９４】
図８（ａ）は泡吐出用アタッチメント１０の上半体１０ａの上方斜視図であり、図８（ｂ）は下半体１０ｂの上方斜視図である。図９は上半体１０ａの下方斜視図である。図１０は下半体１０ｂの平面図である。
【００９５】
泡吐出用アタッチメント１０は、上半体１０ａおよび下半体１０ｂを吐出方向に互いに組み合わせてなる。下半体１０ｂに吐出口２０が開口形成されている。これにより、傾斜面６２や後述する内部ガイド２９を有する貯留部６０を、泡吐出用アタッチメント１０の内部に容易に形成することができる。なお、泡吐出用アタッチメント１０の組み立て後において、上半体１０ａと下半体１０ｂとは、たとえば接着剤等を用いて互いに不可分に結合されていてもよい。上半体１０ａおよび下半体１０ｂは、たとえば合成樹脂材料の射出成形で作成することができる。
【００９６】
吐出口２０は、ライン状の細幅開口部２２と、この細幅開口部２２に連続形成され細幅開口部２２よりも太幅の太幅開口部２４と、を有している。そして、傾斜面６２の先端側に太幅開口部２４が配置され、基端側に細幅開口部２２が配置されている。また、図２に示すように、吐出ガイド２６は、細幅開口部２２を挟んで対向する細幅ガイド部２７と、太幅開口部２４に沿って配置された太幅ガイド部２８と、を含んでいる。細幅ガイド部２７と太幅ガイド部２８とは、細幅ガイド部２７と略同幅で互いに連通している。
【００９７】
より具体的には、本実施形態の吐出口２０は、八分音符の符幹（棒）に対応する直線状の細幅開口部２２ａと、符尾（旗）に対応する湾曲状の細幅開口部２２ｂと、符頭（玉）に対応する太幅開口部２４と、を備えている。吐出ガイド２６は、図１０に示す平面視にて吐出口２０の周囲を取り囲むように形成されている。
【００９８】
これにより、図３（ａ）に示したように音符記号（八分音符）を模した目的形状の泡造形物ＦＢが吐出成形される。細幅開口部２２ａ・２２ｂから吐出された泡体Ｂは泡造形物ＦＢの細幅部ＮＰを形成し、太幅開口部２４から吐出された泡体Ｂは泡造形物ＦＢの太幅泡部ＷＰを形成する。細幅ガイド部２７と太幅ガイド部２８とが細幅ガイド部２７と略同幅で互いに連通していることで、太幅泡部ＷＰと細幅部ＮＰと境界で泡造形物ＦＢの幅寸法が急激に変化している。本実施形態の泡吐出用アタッチメント１０を用いることで、このように精細な目的形状の泡造形物ＦＢを吐出成形することが可能である。
【００９９】
太幅開口部２４は泡吐出用アタッチメント１０の先端側（図１０左方）に配置され、細幅開口部２２ａおよび２２ｂは嵌合部１６に近接する基端側（図１０右方）に配置されている。ここで、上述したように、泡吐出用アタッチメント１０の先端側における吐出ガイド２６の通過長さが基端側における通過長さよりも長くなっていることで、太幅開口部２４を通過した泡体Ｂの拡大が抑制されている。これにより、図３（ａ）に示す泡造形物ＦＢにおける太幅泡部ＷＰが過度に拡大することが防止されるため、泡体Ｂの吐出量が多少変動しても泡造形物ＦＢが所望の目的形状に成形される。
【０１００】
本実施形態の吐出口２０における複数本のライン状の細幅開口部２２ａ・２２ｂは、互いに交差している。図１０に示すように、音符記号（八分音符）の符尾（旗）に対応する湾曲状の細幅開口部２２ｂは、符幹（棒）に対応する直線状の細幅開口部２２ａの端部近傍、すなわち終端から僅かに内側の位置に対して交差している。かかる交差部は、細幅開口部２２ａおよび２２ｂからそれぞれ吐出された泡体Ｂが合わさって吐出量が比較的多くなる。このため、図３（ａ）に示すように、吐出成形される泡造形物ＦＢは、八分音符の符尾が符幹の終端に結合しているように精細に造形される。
【０１０１】
図８（ｂ）に示すように、傾斜面６２の基端側の内部底面６４ａには、内部ガイド２９ｂが立設されている。内部ガイド２９ｂは細幅ガイド部２７の両側に設けられている。
【０１０２】
図９に示すように、泡吐出用アタッチメント１０の上半体１０ａは内部ガイド２９ａを有している。内部ガイド２９ａは、平面視で吐出口２０（図１０参照）の周囲の少なくとも一部を壁状に取り囲む。内部ガイド２９ａは、上半体１０ａの天面６６から垂下して形成されている。上半体１０ａの内部ガイド２９ａと、下半体１０ｂの内部ガイド２９ｂ（図８（ｂ）参照）とは、上半体１０ａと下半体１０ｂとを組み合わせることで互いに突き当てられて貯留部６０を区画形成する。
【０１０３】
上半体１０ａの内部ガイド２９ａは、吐出口２０の周囲のうち、容器本体４０から泡吐出用アタッチメント１０に送出される液剤（泡体Ｂ）の送出方向（図９に矢印で示す）の先端側を取り囲んで設けられている。そして、内部ガイド２９ａのうち液剤（泡体Ｂ）の送出方向の基端側に嵌合部１６が設けられている。
【０１０４】
内部ガイド２９ａおよび２９ｂは、泡吐出用アタッチメント１０の内部に、吐出口２０と連通する貯留部６０と、吐出口２０と連通しない閉領域６１とを区画する。嵌合部１６は、内部ガイド２９ａの内側に形成される貯留部６０と連通している。これにより、泡吐出用アタッチメント１０の内部に、泡体Ｂの流路を構成する貯留部６０と、泡体Ｂが浸入しない閉領域６１とが形成される。閉領域６１が泡吐出用アタッチメント１０の内部に形成されることで、泡吐出用アタッチメント１０の全体積に比して貯留部６０の体積が抑制される。このため、吐出口２０から吐出されずに貯留部６０に残留して消散する泡体Ｂの量を低減することが可能である。
【０１０５】
＜泡吐出用アタッチメントの変形例＞
以下、第一実施形態の泡吐出用アタッチメント１０の変形例について説明する。
【０１０６】
図１１（ａ）は、第一変形例の泡吐出用アタッチメント１１の底面模式図である。図１１（ｂ）は、第一変形例の泡吐出用アタッチメント１１より吐出された泡造形物ＦＢの平面図である。
【０１０７】
図１１（ａ）に示すように、第一変形例の泡吐出用アタッチメント１１は、その吐出口２０が、ライン状の細幅開口部２２と、この細幅開口部２２に連続形成され細幅開口部２２よりも太幅の太幅開口部２４と、を有している点で第一実施形態の泡吐出用アタッチメント１０（図１０参照）と共通する。また、太幅開口部２４が細幅開口部２２の幅寸法よりも大径の略円形をなしている点でも第一実施形態の泡吐出用アタッチメント１０と共通する。
【０１０８】
一方、第一変形例は以下の点で第一実施形態と相違する。すなわち、図１１（ｂ）に示すように、第一変形例の泡吐出用アタッチメント１１により吐出成形される泡造形物ＦＢの目的形状の少なくとも一部は、平面視で複数の略円形部分ＣＰが互いに重なり合った形状をなす。また、第一変形例の吐出口２０は、目的形状における複数の略円形部分ＣＰよりもそれぞれ小径に形成された複数の略円形の太幅開口部２４（２４ａ・２４ｂ）と、これらの太幅開口部２４（２４ａ・２４ｂ）どうしを互いに接続するライン状の細幅開口部２２と、を有している。
【０１０９】
第一変形例の泡吐出用アタッチメント１１により吐出成形される泡造形物ＦＢは、平面視で雪だるま形状をなしている。ただし、第一変形例の更に変形例として、３以上の略円形部分ＣＰが互いに重なり合った形状としてもよい。この場合、吐出口２０は、当該３以上の略円形の太幅開口部２４と、これらを互いに接続するライン状の細幅開口部２２とで構成するとよい。
【０１１０】
＜第二実施形態＞
次に本実施形態の液体洗浄剤組成物２００の第二実施例について図１２を用いて説明する。第二実施例は、泡吐出用アタッチメント１２における吐出口２０の態様が第一実施例と異なること以外は、第一実施例と同様の構成が採用される。そのため、以下では、第二実施例における泡吐出用アタッチメント１２について説明し、その他の構成の説明は割愛する。
図１２（ａ）は、第二実施態様の泡吐出容器１００に用いられる泡吐出用アタッチメント１２の底面模式図であり、図１２（ｂ）は第二実施態様の泡吐出容器１００に用いられる泡吐出用アタッチメント１２より吐出された泡造形物ＦＢの平面図である。
【０１１１】
図１２（ａ）に示すとおり、本実施形態における泡吐出用アタッチメント１２は、複数の吐出口２０が設けられている。本実施形態における吐出口２０は、面状に離散した複数箇所の吐出口２０で目的形状を点描する。本実施形態では、吐出口２０は、太幅開口部２４ａ、２４ｂ（２４）を備え、これらは適度な間隔で離間して配置されている。適度な間隔とは、吐出口２０から吐出された泡体Ｂがこれを受ける基材面（たとえば掌Ｈなど）において吐出方向と交差する交差方向に広がることで互いに接触しあう距離である。当該接触の結果、離散した吐出口２０（図２参照）から吐出された泡体Ｂ（図２参照）により、図１２（ｂ）に示すように、目的形状の泡造形物ＦＢが形成される。図１２（ｂ）には、二つの円形部分ＣＰが重なって構成されたひょうたん型の泡造形物ＦＢを示している。
【０１１２】
第二実施形態のように、離散した複数の吐出口２０から吐出された泡体Ｂの広がりにより互いを接触させて目的形状の泡造形物ＦＢをなすことを予定する場合には、特に泡造形物ＦＢの外縁が不鮮鋭になる傾向にある。ところが、本発明の液体洗浄剤組成物２００は、第一実施形態において説明したとおり、所定の組成を有することにより、所望の目的形状の泡造形物ＦＢを鮮鋭に造形することが可能である。そのため、第二実施形態にて説明する複数の吐出口２０を有する泡吐出容器１００を用いた場合であっても、目的形状の泡造形物ＦＢを良好に形成することができる。
【０１１３】
以上において、本発明の液体洗浄剤組成物２００および、本発明に用いられる泡吐出容器１００について説明した。本発明は、泡吐出容器１００および泡吐出容器１００に収容された液体洗浄剤組成物２００を備える液体洗浄剤物品を包含する。
【０１１４】
即ち、本発明の液体洗浄剤物品は、泡吐出容器１００および泡吐出容器１００に収容された液体洗浄剤組成物２００を備える。
上記液体洗浄剤物品における泡吐出容器１００は、液体洗浄剤組成物２００を収容した容器本体４０と、吐出口２０を有し容器本体４０から送出される液体洗浄剤組成物２００を吐出口２０より泡状に吐出するヘッド部３０と、ユーザの操作を受け付けるごとに所定量の泡状の液体洗浄剤組成物２００を吐出口２０より吐出させる吐出操作部（ポンプヘッド部３２）と、を備える。吐出口２０は、目的形状を細幅化した連続形状に開口形成されているか、または複数設けられており、１回または複数回の吐出操作部（ポンプヘッド部３２）の操作により吐出口２０から吐出された泡状の液体洗浄剤組成物２００が吐出方向に対し交差方向に広がることで、当該吐出方向の平面視で目的形状を成す。
液体洗浄剤物品における液体洗浄剤組成物２００は、（Ａ）ポリオールを０．３質量％以上３５質量％以下、ならびに（Ｂ）ラウリン酸またはその塩、ポリグリセリン脂肪酸エステル、およびカチオン化セルロースから選択される１種または２種以上、を含有する。
本発明の液体洗浄剤物品における泡吐出容器１００および液体洗浄剤組成物２００については、適宜、第一実施例および第二実施例の記載が参照されるため、ここでは詳細な説明を割愛する。
【０１１５】
本発明の液体洗浄剤物品は、目的形状の泡造形物ＦＢが形成可能な吐出口２０を備えるとともに、目的形状の泡造形物ＦＢの外縁を鮮鋭に形成可能な液体洗浄剤組成物２００を備える。そのため本発明の液体洗浄剤物品は、目的形状の泡造形物ＦＢを最適に形成することができ、ユーザに、洗浄等の実用性に加え、見た目の楽しさを提供することができる。
【実施例】
【０１１６】
以下に本発明に関する実施例および比較例を説明する。ただし下記の説明は本発明を何ら制限するものではない。尚、実施例に関する説明および関連する表において、「％」という場合に、特段の断りがない場合には「質量％」を示す。
【０１１７】
［液体洗浄剤組成物の調製および泡吐出容器の準備］
表１または表２に示す組成で、各実施例および各比較例に用いる液体洗浄剤組成物を調製し、それぞれ、泡吐出容器に収容した。泡吐出容器は、市販の泡ハンドソープ（花王株式会社製、ビオレ泡ハンドソープ）に用いられている泡吐出容器に、第一実施形態において説明した第一変形例の泡吐出用アタッチメントを装着したものを用い、上述する泡吐出容器１００と同様の構成とした。吐出口は、図１１（ａ）に示す吐出口２０に倣い、幅寸法１１５が１ｍｍ、長さ寸法１１２が１４ｍｍである細幅開口部２２を介して直径１１０が４ｍｍの円である太幅開口部２４ａ、および直径１１４が８ｍｍの円である太幅開口部２４ｂが設けられたデザインとし、目的形状は、図１１（ｂ）に示すように雪だるま型とした。
【０１１８】
［泡造形物の形成］
各実施例および各比較例の吐出口の先端から約１．５ｃｍの距離に、当該吐出口から吐出された泡体を受けるプレートを設置した。プレートの法線方向が吐出方向と略同等となるよう、プレートの位置を固定し、ポンプヘッド部を１回プッシュし、プレート上に泡造形物を形成した。
【０１１９】
［評価］
上述のとおり形成された泡造形物、および泡造形物成形後の吐出口における泡体の残存状態を以下のとおり評価した。評価結果は表１または表２に示す。また実施例１および実施例２を用いて形成された泡造形物ＦＢの写真をそれぞれ、図１３、図１４に示し、比較例１および比較例２を用いて形成された泡造形物ＦＢの写真をそれぞれ、図１５、図１６に示す。評価は吐出後１分以内の泡造形物ＦＢを目視で確認することにより行った。泡造形物ＦＢの写真（図１３から図１６）についても吐出後１分以内に撮影した。
【０１２０】
（泡造形物の外縁評価）
泡造形物の外縁を目視で観察し、以下のとおり評価した。
外縁が非常に鮮鋭で目的形状の雪だるまが良好に認識できた・・・◎
外縁が比較的鮮鋭で目的形状の雪だるまが認識できた・・・○
外縁が不鮮鋭で目的形状の雪だるまが認識できないか、または不良であった・・・×
【０１２１】
（泡造形物の表面形状評価）
泡造形物の表面形状を目視で観察し、以下のとおり評価した。
泡造形物の表面が滑らかであり泡の盛り上がりが自然に形成された・・・○
泡造形物の表面にやや不自然な凹凸がみられるものの全体として表面が滑らかであった・・・△
泡造形物の表面に不自然な凹凸が多くみられた・・・×
【０１２２】
（吐出口の泡体の残存評価）
泡造形物形成後の吐出口を目視で観察し、以下のとおり評価した。
吐出口に泡体がほぼ残っていなかった・・・◎
吐出口に泡体が少量残ったが、次の泡造形物の形成に支障を来さない程度だった・・・○
吐出口に泡体が多量に残った・・・×
【０１２３】
実施例は、いずれも泡造形物が良好に形成され、また形成された泡造形物の表面も滑らかであった。一方、比較例１は、泡造形物の形状が全く認識できなかった。比較例２は、目的形状に近い形の泡造形物が形成されたものの、外縁が不鮮鋭であった。
また実施例は、いずれも泡造形物形成後における吐出口の泡残りが、ほぼ無いか、または少量であり、泡体のキレが良好であって、次の泡造形物の形成に支障を来さない程度であることが確認された。
【０１２４】
以上の結果から、所定範囲の量である、（Ａ）成分（本実施例ではプロピレングリコール）および（Ｂ）成分（実施例１から３ではラウリン酸、実施例４ではカチオン化セルロースを使用）を含有する液体洗浄剤組成物は、所定の泡吐出容器に収容することにより、外縁の鮮鋭な目的形状の泡造形物を形成可能であることが確認された。
また、実施例１、３により、ラウリン酸に加え、炭素数１２を超える脂肪酸またその塩（本実施例ではミリスチン酸とパルミチン酸）を含有する液体洗浄剤組成物によれば、特に外縁が鮮鋭な泡造形物を形成できることが示された。
また、（Ｂ）とは異なるアニオン性界面活性剤または両性界面活性剤（本実施例ではラウリルスルホキシスルホベタインおよびポリオキシエチレン（５）ラウリルエーテル酢酸）を有しない比較例１に対し、これらを含有する比較例２の方が、泡の表面形状が滑らかであった。このことから、本発明の液体洗浄剤組成物において上述するアニオン性界面活性剤または両性界面活性剤は、美麗な泡造形物ＦＢの形成に関与し得ることが示唆された。
【０１２５】
【表１】
0006619960.tif 000002
【０１２６】
【表２】
0006619960.tif 000003
【０１２７】
本発明は、上述した実施形態に関し、以下の泡吐出容器入り液体洗浄剤組成物、および液体洗浄剤物品を開示する。
＜１＞泡吐出容器入り液体洗浄剤組成物であって、
前記泡吐出容器が、
前記液体洗浄剤組成物を収容する容器本体と、吐出口を有し前記容器本体から送出される前記液体洗浄剤組成物を前記吐出口より泡状に吐出するヘッド部と、ユーザの操作を受け付けるごとに所定量の泡状の前記液体洗浄剤組成物を前記吐出口より吐出させる吐出操作部と、を備え、
前記吐出口が、目的形状を細幅化した連続形状に開口形成されているか、または複数設けられており、１回または複数回の前記吐出操作部の操作により前記吐出口から吐出された泡状の前記液体洗浄剤組成物が吐出方向に対し交差方向に広がることで、当該吐出方向の平面視で前記目的形状に形成される泡吐出容器であり、
前記液体洗浄剤組成物は、
（Ａ）ポリオールを０．３質量％以上３５質量％以下、ならびに
（Ｂ）（Ｂ−１）ラウリン酸またはその塩、（Ｂ−２）ポリグリセリン脂肪酸エステル、および（Ｂ−３）カチオン化セルロースから選択される１種または２種以上、を含有する泡吐出容器入り液体洗浄剤組成物。
＜２＞前記泡吐出容器は、前記吐出操作部の操作により前記容器本体から送出され空気と共に通過する前記液体洗浄剤組成物を泡状に変える気液接触部を有する上記＜１＞に記載の泡吐出容器入り液体洗浄剤組成物。
＜３＞前記ヘッド部は、前記容器本体から送出される前記液体洗浄剤組成物を一時的に貯留するとともに前記液体洗浄剤組成物を前記吐出口へと流通させる貯留部を有し、
前記貯留部の流路は、流路断面積が拡張する拡張部と、前記拡張部より先端側に設けられ前記拡張部よりも流路断面積が小さい縮小部と、を有し、
前記縮小部の先端側に前記吐出口の少なくとも一部が設けられている上記＜１＞または＜２＞に記載の泡吐出容器入り液体洗浄剤組成物。
＜４＞前記吐出操作部の操作により前記容器本体から前記ヘッド部まで吸い上げられた前記液体洗浄剤組成物が、前記吐出口から鉛直下向きに吐出される上記＜１＞から＜３＞のいずれか一項に記載の泡吐出容器入り液体洗浄剤組成物。
＜５＞前記ヘッド部は、前記容器本体から送出される前記液体洗浄剤組成物を貯留する貯留部と、前記貯留部の下方に向かって延在して設けられて下端に前記吐出口を備える吐出ガイドと、を更に備え、
前記吐出ガイドは、前記吐出口と同形状である横断面を有する直管状の通孔を有する上記＜１＞から＜４＞のいずれか一項に記載の泡吐出容器入り液体洗浄剤組成物。
＜６＞前記ヘッド部が、前記容器本体から前記液体洗浄剤組成物を送出するノズル開口を有するノズル部と、前記吐出口を有し前記ノズル部に対して着脱可能に装着されて前記吐出口と前記ノズル開口とが連通する泡吐出用アタッチメントと、を有し、
前記泡吐出用アタッチメントが、前記ノズル開口を挿入させる嵌合部と、前記ノズル部に対して着脱可能に掛止する掛止部と、を有する上記＜１＞から＜５＞のいずれか一項に記載の泡吐出容器入り液体洗浄剤組成物。
＜７＞前記（Ｂ）が、
前記（Ｂ−１）ラウリン酸またはその塩を酸換算量で０．１質量％以上１２質量％以下、
前記（Ｂ−２）ポリグリセリン脂肪酸エステルを０．１質量％以上３質量％以下、および
前記（Ｂ−３）カチオン化セルロースを０．０１質量％以上０．２質量％以下、
から選択される１種または２種以上、を含有する上記＜１＞から＜６＞のいずれか一項に記載の泡吐出容器入り液体洗浄剤組成物。
＜８＞前記（Ｂ）として前記ラウリン酸または前記その塩を含むとともに、炭素数１２を超える脂肪酸またはその塩を含み、
前記ラウリン酸または前記その塩が、酸換算量で０．１質量％以上１２質量％以下であり、前記炭素数１２を超える前記脂肪酸または前記その塩が、酸換算量で０．０１質量％以上２質量％以下である上記＜１＞から＜７＞のいずれか一項に記載の泡吐出容器入り液体洗浄剤組成物。
＜９＞前記（Ｂ）として前記ラウリン酸又はその塩を含むとともに、ミリスチン酸もしくはパルミチン酸、またはその塩から選択される１種又は２種以上を、前記ラウリン酸またはその塩の酸換算量１００質量部に対して、酸換算量で０．１質量部以上３０質量部以下の範囲で含有する前記＜１＞から＜８＞のいずれか一項記載の泡吐出容器入り液体洗浄剤組成物。
＜１０＞泡吐出容器および前記泡吐出容器に収容された液体洗浄剤組成物を備え、
泡吐出容器が、前記液体洗浄剤組成物を収容した容器本体と、吐出口を有し前記容器本体から送出される前記液体洗浄剤組成物を前記吐出口より泡状に吐出するヘッド部と、ユーザの操作を受け付けるごとに所定量の泡状の前記液体洗浄剤組成物を前記吐出口より吐出させる吐出操作部と、を備え、
前記吐出口が、目的形状を細幅化した連続形状に開口形成されているか、または複数設けられており、１回または複数回の前記吐出操作部の操作により前記吐出口から吐出された泡状の前記液体洗浄剤組成物が吐出方向に対し交差方向に広がることで、当該吐出方向の平面視で前記目的形状を成し、
前記液体洗浄剤組成物が、
（Ａ）ポリオールを０．３質量％以上３５質量％以下、ならびに
（Ｂ）ラウリン酸またはその塩、ポリグリセリン脂肪酸エステル、およびカチオン化セルロースから選択される１種または２種以上、
を含有する液体洗浄剤物品。
【符号の説明】
【０１２８】
１０・・・泡吐出用アタッチメント
１０ａ・・・上半体
１０ｂ・・・下半体
１１・・・泡吐出用アタッチメント
１２・・・泡吐出用アタッチメント
１５・・・パターン表示部
１６・・・嵌合部
１８・・・掛止部
２０・・・吐出口
２１・・・通孔
２２、２２ａ、２２ｂ・・・細幅開口部
２４、２４ａ、２４ｂ・・・太幅開口部
２６・・・吐出ガイド
２７・・・細幅ガイド部
２８・・・太幅ガイド部
２９、２９ａ、２９ｂ・・・内部ガイド
３０・・・ヘッド部
３１・・・底面
３２・・・ポンプヘッド部
３３・・・周縁部
４０・・・容器本体
４２・・・胴部
４４・・・口頸部
５０・・・泡送出機構
５１・・・気液接触部
５２・・・ノズル部
５３・・・キャップ
５４・・・ノズル開口
５５・・・ピストン
５６・・・ハウジング
５７・・・吸引管
５８・・・バネ体
５９・・・ボール弁
６０・・・貯留部
６１・・・閉領域
６２・・・傾斜面
６４、６４ａ、６４ｂ・・・内部底面
６６・・・天面
６７・・・最小開口部
１００・・・泡吐出容器
１０２・・・幅寸法
１０４・・・拡張部
１０６・・・縮小部
１１０、１１４・・・直径
１１２・・・長さ寸法
１１５・・・幅寸法
２００・・・液体洗浄剤組成物
Ｂ・・・泡体
ＣＰ・・・円形部分
ＦＢ・・・泡造形物
Ｈ・・・掌
Ｌ・・・液剤
ＮＰ・・・細幅部
ＷＰ・・・太幅泡部
【図１】
0006619960.tif 000004
【図２】
0006619960.tif 000005
【図３】
0006619960.tif 000006
【図４】
0006619960.tif 000007
【図５】
0006619960.tif 000008
【図６】
0006619960.tif 000009
【図７】
0006619960.tif 000010
【図８】
0006619960.tif 000011
【図９】
0006619960.tif 000012
【図１０】
0006619960.tif 000013
【図１１】
0006619960.tif 000014
【図１２】
0006619960.tif 000015
【図１３】
0006619960.tif 000016
【図１４】
0006619960.tif 000017
【図１５】
0006619960.tif 000018
【図１６】
0006619960.tif 000019